(57)【要約】  誘電体材料のブロックに規定された複数のスロットにより規定された複数の共振器を含む誘電体材料のブロックを有する誘電体導波路フィルター。前記共振器は、誘電体材料のブロック上に１以上の行列で配列される。誘電体材料のブロックに、第一及び第二のＲＦ信号入／出力電極が規定される。前記第一及び第二のＲＦ信号入／出力電極と前記複数の共振器により、ＲＦ信号を伝送する第一の直接ＲＦ信号伝送経路が規定される。１実施形態では、内部窓が第一の直接ＲＦ信号伝送手段を規定し、追加のＲＦ信号伝送手段が、ある行の共振器から他の行の共振器にＲＦ信号を伝送するための代替又はクロス結合経路を規定する。１実施形態では、フィルターは、相互に結合された２つの分離した誘電体材料のブロックからなる。【選択図】  図１
2014521278.tif 000002
【特許請求の範囲】
【請求項１】
誘電体材料のブロックと、
前記誘電体材料のブロックに規定された複数のスロットにより前記誘電体材料のブロックに規定された複数の共振器であって、前記誘電体材料のブロックに１以上の行列に配列された前記複数の共振器と、
前記誘電体材料のブロックに規定された第一及び第二のＲＦ信号入／出力電極
を有する導波路フィルターであって、
前記複数の共振器及び前記第一及び第二のＲＦ信号入／出力電極が、一緒に、前記導波路フィルターを通るＲＦ信号の伝送のための第一の直接ＲＦ信号伝送経路を規定する、導波路フィルター。
【請求項２】
前記第一の直接ＲＦ信号伝送経路が、共振器の一の行における前記複数の共振器の第一のものから、前記複数の共振器の他の一の行における前記複数の共振器の第一のものに前記ＲＦ信号を直接伝送するための第一の直接ＲＦ信号伝送手段により部分的に規定される、請求項１に記載の導波路フィルター。
【請求項３】
前記第一及び第二のＲＦ信号入／出力電極が前記誘電体材料のブロックの同一端に規定され、前記第一の直接ＲＦ信号結合経路が概略Ｕ形状である、請求項２に記載の導波路フィルター。
【請求項４】
前記第一の直接ＲＦ信号伝送経路が、共振器の一の行における前記複数の共振器の前記第一のものと、前記複数の共振器の他の一の行における前記複数の共振器の前記第一のものの間で前記ＲＦ信号を伝送するための内部窓である、請求項２に記載の導波路フィルター。
【請求項５】
前記内部窓が、前記誘電体材料のブロックの内部の導電材料の無い領域である、請求項４に記載の導波路フィルター。
【請求項６】
共振器の前記一の行における前記複数の共振器の第二のものから、共振器の前記他の行における前記複数の共振器の第二のものへの前記ＲＦ信号の伝送のための第一の間接経路を規定する第一の間接ＲＦ信号伝送手段を更に有する、請求項２に記載の導波路フィルター。
【請求項７】
前記第一の間接ＲＦ信号伝送手段が、前記誘電体材料の外面に規定され、共振器の前記一の行における前記複数の共振器の前記第二のものと、前記複数の共振器の前記他の行における前記複数の共振器の前記第二のものの間に延びる外部ＲＦ信号伝送電極である、請求項６に記載の導波路フィルター。
【請求項８】
共振器の前記一の行における前記複数の共振器の第三のものから、共振器の前記他の行における前記複数の共振器の第三のものへの前記ＲＦ信号の伝送のための第二の間接経路を規定する第二の間接ＲＦ信号伝送手段を更に有する、請求項６に記載の導波路フィルター。
【請求項９】
前記第二のＲＦ信号伝送手段が、共振器の前記一の行における前記複数の共振器の前記第三のものと、前記複数の共振器の前記他の行における前記複数の共振器の前記第三のものの間での前記ＲＦ信号の伝送のための内部窓により規定される、請求項８に記載の導波路フィルター。
【請求項１０】
前記内部窓が、前記誘電体材料のブロックの内部の導電材料の無い領域である、請求項９に記載の導波路フィルター。
【請求項１１】
前記第一及び第二のＲＦ信号入／出力電極が、前記誘電体材料のブロックに規定される第一及び第二のＲＦ信号入／出力パッドにより部分的に規定される、請求項１に記載の導波路フィルター。
【請求項１２】
第一及び第二の外部ＲＦ信号コネクタが、前記第一及び第二のＲＦ信号入／出力電極とそれぞれ結合する、請求項１に記載の導波路フィルター。
【請求項１３】
第一の複数の共振器を規定する第一の複数のスロットを含む第一の誘電体材料のブロックと、
前記第一の誘電体材料のブロックに規定された第一のＲＦ信号入／出力電極と、
前記第一の誘電体材料のブロックと結合した第二の誘電体材料のブロックであって、第二の複数の共振器を規定する第二の複数のスロットを含む、前記第二の誘電体材料のブロックと、
前記第二の誘電体材料のブロックに規定された第二のＲＦ信号入／出力電極と、
前記第一及び第二のＲＦ信号入／出力電極及び前記第一及び第二の誘電体材料のブロックの前記複数の共振器の組み合わせにより規定される第一の直接ＲＦ信号伝送経路
を有する導波路フィルター。
【請求項１４】
前記第一の直接ＲＦ信号伝送経路が、前記第一の誘電体材料のブロックにおける前記複数の共振器の第一のものから、前記第二の誘電体材料のブロックにおける前記複数の共振器の第一のものに延びる第一の直接ＲＦ信号伝送手段により部分的に規定される、請求項１３に記載の導波路フィルター。
【請求項１５】
前記第一の直接ＲＦ信号伝送経路が、前記第一及び第二の誘電体材料のブロックに規定される第一及び第二のＲＦ信号伝送窓のそれぞれにより規定される、請求項１４に記載の導波路フィルター。
【請求項１６】
前記第一及び第二のＲＦ信号伝送窓のそれぞれが、第一及び第二の誘電体材料の領域により規定される、請求項１５に記載の導波路フィルター。
【請求項１７】
前記第一の誘電体材料のブロックにおける前記複数の共振器の第二のものから、前記第二の誘電体材料のブロックにおける前記複数の共振器の第二のものへの前記ＲＦ信号の伝送のための第一の間接結合経路を規定する第一の間接ＲＦ信号伝送手段を更に有する、請求項１４に記載の導波路フィルター。
【請求項１８】
前記第一の間接ＲＦ信号伝送手段が、前記誘電体材料のブロックの外面に規定され、前記第一の誘電体材料のブロックにおける前記複数の共振器の第二のものと、前記第二の誘電体材料のブロックにおける前記複数の共振器の第二のものの間に延びる外部ＲＦ信号伝送電極を含む、請求項１７に記載の導波路フィルター。
【請求項１９】
前記第一の誘電体材料のブロックにおける前記複数の共振器の第三のものから、前記第二の誘電体材料のブロックにおける前記複数の共振器の第三のものへの前記ＲＦ信号の伝送のための第二の間接結合経路を規定する第二の間接ＲＦ信号伝送手段を更に有する、請求項１７に記載の導波路フィルター。
【請求項２０】
前記第二の間接ＲＦ信号伝送手段が、前記第一及び第二の誘電体材料のブロックに規定された第三及び第四の窓を有する、請求項１９に記載の導波路フィルター。
【請求項２１】
第一の行に配列された第一の複数の共振器及び前記第一の複数の共振器に隣接する第二の行に配列された第二の複数の共振器を含む誘電体材料のブロックと、
前記誘電体材料のブロックに規定された第一及び第二のＲＦ信号入／出力電極と、
前記第一の複数の共振器から前記第二の複数の共振器にＲＦ信号を直接伝送するための、前記第一の複数の共振器における第一の共振器と、前記第二の複数の共振器の第一の共振器の間の前記ブロックの内部に規定された第一の直接結合ＲＦ信号伝送窓と、
前記第一の複数の共振器における第二の共振器と前記第二の複数の共振器における第二の共振器の間に延びる、前記第一及び前記第二の複数の共振器における前記第二の共振器間で前記ＲＦ信号を伝送するための外部伝送ラインにより規定される第一の間接クロス結合ＲＦ信号伝送手段と、
前記第一の複数の共振器における第三の共振器と前記第二の複数の共振器における第三の共振器の間に位置する、前記第一及び前記第二の複数の共振器における前記第三の共振器間で前記ＲＦ信号を伝送するための前記誘電体材料の内部の内部窓により規定される第二の間接クロス結合ＲＦ信号伝送手段
を有する誘電体導波路フィルター。
【請求項２２】
前記第一及び第二の複数の共振器が、一緒に結合された第一及び第二の誘電体材料のブロック上に配列される、請求項２１に記載の誘電体導波路フィルター。
【発明の詳細な説明】
【技術分野】
【０００１】
［関連出願の相互参照］
本出願は、「帯域幅調整のための構造及び方法を有する誘電体導波路フィルター」と題された２０１１年５月９日に出願された米国出願番号１３／１０３，７１２の出願日及び開示の利益を主張する。本出願は、２０１１年７月１８日に出願された米国仮出願番号６１／５０８，９８７の出願日及び開示の利益を主張する。これらの出願は、本書に引用される他の文献と同様に明示的に本書に組み込まれる。
【背景技術】
【０００２】
本発明は、概して、誘電体導波路フィルターに関し、より詳細には、直接結合（direct coupling）及び代替クロス結合（alternative cross-coupling）を有する誘電体導波路フィルターに関する。
【発明の背景】
【０００３】
本発明は、ハイネ等への米国特許番号５，９２６，０７９に開示されたタイプの誘電体導波路フィルターに関連し、同導波路フィルターでは、複数の共振器が誘電体／セラミック材料の単一ブロックの長さに沿って縦方向に離間しており、複数のスロット／ノッチが単一ブロックの長さに沿って縦方向に離間して、複数の共振器の間の直接の誘導／容量結合を提供する複数の共振器の間の誘電体材料の複数のＲＦ信号ブリッジを規定する。
【０００４】
ハイネ等への米国特許番号５，９２６，０７９に開示されたタイプの導波路フィルターの特性は、導波路フィルターの一端又は両端に位置する追加の共振器の形態のゼロの導入により増加させることができる。しかし、追加の共振器の導入の不都合は、そのことがフィルターの長さを増加させることであり、これは、いくつかのアプリケーションでは、例えば、顧客のマザーボード上のスペースの制限のために好ましくなく、又は、可能でない。
【０００５】
フィルターの減衰特性は、例えば、開示された共振器の直接及びクロス結合を提供するように、フィルターの上面に規定され、共振器スルーホールの選択したものの間に延びるそれぞれの金属化パターンにより部分的に生成される共振器の誘導直接結合及び４連クロス結合の両方を有する単一ブロックフィルターを開示するバンガラ等への米国特許第７，７１４，６８０号に開示されるように、共振器の直接及びクロス結合の両方により増加させることができる。
【０００６】
バンガラ等への米国特許第７，７１４，６８０号に開示されるタイプで上面の金属化パターンを有するタイプの直接及びクロス結合は、ハイネ等への米国特許番号５，９２６，０７９に開示されたタイプのスロットのみを有し、上面金属化パターンを有さない導波フィルターには適用できない。
【０００７】
本発明は、従って、導波等フィルターの長さを増加させずに導波路フィルターの減衰特性を増加させることを可能にする直接及び任意的な又は代替的なクロス結合共振器の両方を有する誘電体導波路フィルターに向けられる。
【発明の要約】
【０００８】
本発明は、概して、誘電体材料のブロックと、前記誘電体材料のブロックに規定された複数のスロットにより前記誘電体材料のブロックに規定された複数の共振器であって、前記誘電体材料のブロックに１以上の行列に配列された前記複数の共振器と、前記誘電体材料のブロックに規定された第一及び第二のＲＦ信号入出力電極を有する導波路フィルターであって、前記複数の共振器及び前記第一及び第二のＲＦ信号入出力電極が、一緒に、前記導波路フィルターを通るＲＦ信号の伝送のための第一の直接ＲＦ信号伝送経路を規定する、導波路フィルターに関する。
【０００９】
１実施形態では、前記第一の直接ＲＦ信号伝送経路が、共振器の一の行における前記複数の共振器の第一のものから、前記複数の共振器の他の一の行における前記複数の共振器の第一のものに前記ＲＦ信号を直接伝送するための第一の直接ＲＦ信号伝送手段により部分的に規定される。
【００１０】
１実施形態では、前記第一及び第二のＲＦ信号入出力電極が前記誘電体材料のブロックの同一端に規定され、前記第一の直接ＲＦ信号伝送経路が概略Ｕ形状である。
【００１１】
１実施形態では、前記第一の直接ＲＦ信号伝送経路が、共振器の一の行における前記複数の共振器の前記第一のものと、前記複数の共振器の他の一の行における前記複数の共振器の前記第一のものの間で前記ＲＦ信号を伝送するための内部窓である。
【００１２】
１実施形態では、前記内部窓が、前記誘電体材料のブロックの内部の導電材料の無い領域である。
【００１３】
１実施形態では、前記導波路フィルターは、共振器の前記一の行における前記複数の共振器の第二のものから、共振器の前記他の行における前記複数の共振器の第二のものに、前記ＲＦ信号を伝送するための第一の間接経路を規定する第一の間接ＲＦ信号伝送手段を更に有する。
【００１４】
１実施形態では、前記第一の間接ＲＦ信号伝送手段が、前記誘電体材料の外面に規定され、共振器の前記一の行における前記複数の共振器の前記第二のものと、前記複数の共振器の前記他の行における前記複数の共振器の前記第二のものの間に延びる外部ＲＦ信号伝送電極である。
【００１５】
１実施形態では、前記導波路フィルターは、共振器の前記一の行における前記複数の共振器の第三のものから、共振器の前記他の行における前記複数の共振器の第三のものに前記ＲＦ信号を伝送するための第二の間接経路を規定する第二の間接ＲＦ信号伝送手段を更に有する。
【００１６】
１実施形態では、前記第二の間接ＲＦ信号伝送手段が、共振器の前記一の行における前記複数の共振器の前記第三のものと、前記複数の共振器の前記他の行における前記複数の共振器の前記第三のものの間で前記ＲＦ信号を伝送するための内部窓により規定される。
【００１７】
１実施形態では、前記内部窓が、前記誘電体材料のブロックの内部の導電材料の無い領域である。
【００１８】
１実施形態では、前記第一及び第二のＲＦ信号入出力電極が、前記誘電体材料のブロックに規定される第一及び第二のＲＦ信号入出力パッドにより部分的に規定される。
【００１９】
１実施形態では、第一及び第二の外部ＲＦ信号コネクタが、前記第一及び第二のＲＦ信号入出力電極とそれぞれ結合する。
【００２０】
１実施形態では、本発明は、第一の複数の共振器を規定する第一の複数のスロットを含む第一の誘電体材料のブロックと、前記第一の誘電体材料のブロックに規定された第一のＲＦ信号入出力電極と、前記第一の誘電体材料のブロックと結合した第二の誘電体材料のブロックであって、第二の複数の共振器を規定する第二の複数のスロットを含む、前記第二の誘電体材料のブロックと、前記第二の誘電体材料のブロックに規定された第二のＲＦ信号入／出力電極と、前記第一及び第二のＲＦ信号入／出力電極及び前記第一及び第二の誘電体材料のブロックの前記複数の共振器の組み合わせにより規定される第一の直接ＲＦ信号伝送経路を有する導波路フィルターに向けられる。
【００２１】
１実施形態では、前記第一の直接ＲＦ信号伝送経路が、前記第一の誘電体材料のブロックにおける前記複数の共振器の第一のものから、前記第二の誘電体材料のブロックにおける前記複数の共振器の第一のものに延びる第一の直接ＲＦ信号伝送手段により部分的に規定される。
【００２２】
１実施形態では、前記第一の直接ＲＦ信号伝送経路が、前記第一及び第二の誘電体材料のブロックに規定される第一及び第二のＲＦ信号伝送窓のそれぞれにより規定される。
【００２３】
前記第一及び第二のＲＦ信号伝送窓のそれぞれが、第一及び第二の誘電体材料の領域により規定される。
【００２４】
１実施形態では、前記導波路フィルターは、前記第一の誘電体材料のブロックにおける前記複数の共振器の第二のものから、前記第二の誘電体材料のブロックにおける前記複数の共振器の第二のものへのＲＦ信号の伝送のための第一の間接結合経路を規定する第一の間接ＲＦ信号伝送手段を有する。
【００２５】
１実施形態では、前記第一の間接ＲＦ信号伝送手段が、前記誘電体材料のブロックの外面に規定され、前記第一の誘電体材料のブロックにおける前記複数の共振器の第二のものと、前記第二の誘電体材料のブロックにおける前記複数の共振器の第二のものの間に延びる外部ＲＦ信号伝送電極を含む。
【００２６】
１実施形態では、前記導波路フィルターは、前記第一の誘電体材料のブロックにおける前記複数の共振器の第三のものから、前記第二の誘電体材料のブロックにおける前記複数の共振器の第三のものに前記ＲＦ信号を伝送するための第二の間接結合経路を規定する第二の間接ＲＦ信号伝送手段を更に有する。
【００２７】
１実施形態では、前記第二の間接ＲＦ信号伝送手段が、前記第一及び第二の誘電体材料のブロックに規定された第三及び第四の窓を有する。
【００２８】
他の特定の実施形態では、本発明は、
第一の行に配列された第一の複数の共振器及び前記第一の複数の共振器に隣接する第二の行に配列された第二の複数の共振器を含む誘電体材料のブロックと、
前記誘電体材料のブロックに規定された第一及び第二のＲＦ信号入／出力電極と、
前記第一の複数の共振器から前記第二の複数の共振器にＲＦ信号を直接伝送するための、前記第一の複数の共振器における第一の共振器と、前記第二の複数の共振器の第一の共振器の間の前記ブロックの内部に規定された第一の直接結合ＲＦ信号伝送窓と、
前記第一の複数の共振器における第二の共振器と前記第二の複数の共振器における第二の共振器の間に延びる、前記第一及び前記第二の複数の共振器における前記第二の共振器間で前記ＲＦ信号を伝送するための外部伝送ラインにより規定される第一の間接クロス結合ＲＦ信号伝送手段と、
前記第一の複数の共振器における第三の共振器と前記第二の複数の共振器における第三の共振器の間に位置する、前記第一及び前記第二の複数の共振器における前記第三の共振器間で前記ＲＦ信号を伝送するための前記誘電体材料の内部の内部窓により規定される第二の第一の間接クロス結合ＲＦ信号伝送手段
を有する誘電体導波路フィルターに向けられる。
【００２９】
更に他の実施形態では、前記第一及び第二の複数の共振器が、一緒に結合された第一及び第二の誘電体材料のブロック上に配列される。
【００３０】
本発明の他の利点及び特徴は、後述の好ましい実施形態の説明、添付図面及び添付特許請求の範囲から容易に明らかになる。
【図面の簡単な説明】
【００３１】
本発明の様々な特徴が、以下のような添付図面の以下の記述から最も良く理解される。
【図１】本発明の誘電体導波路フィルターの拡大斜視図。
【図２】図１に示す誘電体導波路フィルターの拡大した、一部分解した、一部波線の斜視図。
【図３】本発明の誘電体導波路フィルターの他の実施形態の拡大斜視図。
【図４】図３に示す誘電体導波路フィルターの拡大した、一部分解した、一部波線の斜視図。
【図５】本発明による誘電体導波路フィルターの更に他の実施形態の拡大斜視図。
【図６】図５に示す誘電体導波路フィルターの拡大した、一部分解した、一部波線の斜視図。
【図７】本発明による誘電体導波路フィルターの更なる実施形態の拡大斜視図。
【図８】図７に示す導波路フィルターの拡大した、一部分解した、一部波線の斜視図。
【図９】本発明による誘電体導波路フィルターの更なる実施形態の拡大上部斜視図。
【図１０】図９に示す誘電体導波路フィルターの下部拡大斜視図。
【図１１】図１に示すセラミック誘電体導波路フィルターの性能／周波数応答を示すグラフ。
【図１２】図３，７及び９に示すセラミック誘電体導波路フィルターの性能／周波数応答を示すグラフ。
【図１３】図５に示すセラミック誘電体導波路フィルターの性能／周波数応答を示すグラフ。
【発明を実施するための形態】
【００３２】
図１及び２は、後述のように、直接結合特性のみを組み込んだ、導波路フィルター１００の長さを増加させることなく導波路フィルター１００の特性が向上した本発明に従うセラミックス誘電体導波路フィルター１００の第一実施形態を示す。
【００３３】
最初に、図１及び２の実施形態では、導波路フィルター１００は、以下により詳細に説明するように、導波路フィルター１００を形成するように一緒に結合されて固定された一対の分離した概略平行六面体形状の単一ブロック１０１及び１０３から作られる。
【００３４】
各単一ブロック１０１及び１０３は、例えば、セラミックスなどの適切な誘電体材料からなり、縦軸Ｌ１を規定し、縦軸Ｌ１と同方向に縦に延びる対向する縦水平外面１０２及び１０４と、縦軸Ｌ１と同方向に縦に延びる対向する縦垂直外側面１０６及び１０８と、各単一ブロック１０１及び１０３の縦軸Ｌ１に概略垂直な方向に延びる対向する横垂直外側端面１１０及び１１２を含む。
【００３５】
各単一ブロック１０１及び１０３は、以下により詳細に説明されるように、各行に配置され、各単一ブロック１０１及び１０３の縦軸Ｌ１及び長さに沿って縦に離間し、各単一ブロック１０１及び１０３の表面１０２，１０４，１０６及び１０８に切り込んだ複数の（より詳細には、図１及び２の実施形態では２つの）組の離間した垂直スリット又はスロット１２４及び１２６及びＲＦ信号ブリッジ１２８，１３０，１３２及び１３４により相互に離間した複数の共振部分（キャビティ又はセル又は共振器とも称される）１１４，１１６及び１１８及び１２０，１２１及び１２２を有する。
【００３６】
２つのスロット１２４は、離間して平行の関係で、また、縦軸Ｌ１に概略垂直の関係で各単一ブロック１０１及び１０３の側面１０６の長さに沿って延びる。各スロット１２４は、側面１０６及び水平面１０２及び１０４を通って、また、部分的に各単一ブロック１０１及び１０３の本体及び誘電体材料を通って切り込んでいる。
【００３７】
２つのスロット１２６は、離間して平行の関係で、また、縦軸Ｌ１に概略垂直の関係で、また、側面１０６に規定された各スロット１２４と対向し、共通直線で、共通平面の関係で、各単一ブロック１０１及び１０３の対向する側面１０８の長さに沿って延びる。各スロット１２６は、側面１０８及び対向する水平面１０２及び１０４を通って、また、部分的に各単一ブロック１０１及び１０３の本体及び誘電体材料を通って切り込んでいる。
【００３８】
これらの対向して、離間し、共通直線で、共通平面の関係により、スロット１２４及び１２６の各組は、それぞれ、各単一ブロック１０１及び１０３の縦軸Ｌ１に概略垂直で交差し、かつ、各共振器１１４，１１６及び１１８及び共振器１２０，１２１及び１２２と相互接続する関係及び向きで各単一ブロック１０１及び１０３の表面１０２及び１０４の間に延びる誘電体材料のブリッジ又はアイランドからなる、単一ブロック１０１及び１０３それぞれの複数の（より詳細には、図１及び２の実施形態では２つの）概略中央に位置するＲＦ信号ブリッジ１２８及び１３０及びＲＦ信号ブリッジ１３２及び１３４を一緒になって規定する。
【００３９】
すなわち、単一ブロック１０１の誘電体材料のブリッジ１２８は、共振器１１４の誘電体材料を共振器１１６の誘電体材料にブリッジ（橋渡し）し、相互接続し、一方、誘電体材料のブリッジ１３０は、共振器１１６の誘電体材料を共振器１１８の誘電体材料に相互接続する。同様に、単一ブロック１０３の誘電体材料のブリッジ１３２は、共振器１２０の誘電体材料を共振器１２１の誘電体材料に相互接続し、一方、誘電体材料のブリッジ１３４は、共振器１２１の誘電体材料を共振器１２２の誘電体材料にブリッジし、相互接続する。
【００４０】
図示の実施形態では、誘電体材料の各ＲＦ信号ブリッジ又はアイランド１２８，１３０，１３２及び１３４の幅は、対向するスロット１２４及び１２６の間の距離に依存し、図示の実施形態では、各単一ブロック１０１及び１０３の幅の約１／３である。
【００４１】
どの図にも示されていないが、スロット１２４及び１２６の厚さ又は幅及び側面１０６又１０８のそれぞれから各単一ブロック１０１及び１０３の本体及び誘電体材料へとスロット１２４及び１２６が延びる深さ又は距離は、ＲＦ信号ブリッジ１２８，１３０，１３２及び１３４の幅及び長さが、導波路フィルター１００の電気結合及び帯域幅の制御、したがって、導波路フィルター１００の性能特性の制御を可能にするように変更されるのを可能にする特定の用途に依存して変化し得る。
【００４２】
単一ブロック１０１及び１０３は、さらに、それぞれの端部ステップ又はノッチ１３６及び１３８を有し、かつ、規定し、これらはそれぞれ、図示の実施形態では、縦表面１０４の概略Ｌ形状の凹んだ又は溝付けされた又は肩付けされた又は切れ込んだ領域又はセクションと、対向する側面１０６及び１０８と、各単一ブロック１０１及び１０３、より詳細には、それから誘電体材料が除去され又は存在しない各端部共振器１１４，１２２の対向する側端面１１０及び１１２を有する。
【００４３】
換言すれば、各ステップ１３６及び１３８は、各単一ブロック１０１及び１０３、より詳細には、各単一ブロック１０１及び１０３の残りの部分の高さよりも小さい高さを有する各端部共振器１１４及び１２２の端部のセクション又は領域において、これらにより規定される。
【００４４】
さらに換言すれば、各ステップ１３６及び１３８はそれぞれ、各単一ブロック１０１及び１０３に規定された各端部共振器１１４及び１２２の概略Ｌ形状の凹んだ又は切れ込んだ部分を有し、これは、各単一ブロック１０１及び１０３の表面１０４に位置し、又は、これから内側に向けられ、そして、これから離間し、これに対して平行の第一の概略水平面１４０と、各単一ブロック１０１及び１０３の各側端面１１０及び１１２に位置し、又は、これから内側に向けられ、そして、これから離間し、これに対して平行の第二の概略垂直面１４２を含む。
【００４５】
単一ブロック１０１及び１０３はそれぞれさらに、その縦軸Ｌ１に概略垂直の、より詳細には、その各ステップ１３６及び１３８を通り、さらに詳細には、各ステップ１３６及び１３８の表面１４０と各単一ブロック１０１及び１０３の表面１０４の間で、また、これらに概略垂直の関係で各単一ブロック１０１及び１０３に規定された各端部共振器１１４及び１２２の本体を通る関係で各単一ブロック１０１及び１０３を通って延びる各スルーホール１４６の形態の電気ＲＦ信号入／出力電極を有する。
【００４６】
さらに詳細には、各ＲＦ信号入／出力スルーホール１４６は、各単一ブロック１０１及び１０３の各横側端面１１０から離間して、概略これに平行であり、図２に示すような概略円形開口１４７及び１４９をそれぞれ規定し、ステップ表面１４０及び各単一ブロック１０１及び１０３の単一ブロック表面１０４で終端する。
【００４７】
ＲＦ信号入／出力スルーホール１４６は、側端面１１０及びステップ壁又は表面１４２から概略離間して、また、これに平行の関係で、各単一ブロック１０１及び１０３及び各ステップ１３６及び１３８の内部に位置し、これを通って延びる。
【００４８】
単一ブロック１０１及び１０３のすべての外表面１０２，１０４，１０６，１０８，１１０及び１１２、スロット１２４及び１２６の内部表面及び入／出力スルーホール１４６の内部表面は、各ステップ１３６及び１３８の表面１４０の各スルーホール１４６により規定される開口を囲む誘電体材料の領域１５１を含む以下により詳細に述べる領域を例外として、例えば、銀などの適切な導電材料により覆われている。
【００４９】
単一ブロック１０１及び１０３はさらに、それぞれが、概略長方形のコネクタベースプレート又はフランジ４０４、フランジ４０４の上面から概略垂直に一体に上方に及び外方に延びる概略円筒形のコネクタハウジング又はシェル４０６及びシェル４０６の内部及びフランジ４０４の本体の両方を通って延びる細長いコネクタピン４０３を含む、ＳＭＡＲＦ信号入／出力同軸コネクタ４００及び４０１を有する。
【００５０】
各コネクタ４００及び４０１、より詳細には、そのベースプレート又はフランジ４０４は、各単一ブロック１０１及び１０３の縦軸Ｌ１及び側面１０６及び１０８に概略垂直の関係で各単一ブロック１０１及び１０３の各ステップ１３６及び１３８に対して据え付けられており、各コネクタ４００及び４０１のフランジ４０４は、各ステップ１３６及び１３８の表面１４０に対して据え付けられ、シェル４０６は各ステップ１３６及び１３８に規定された各スルーホール１４６と同軸に並べられている。
【００５１】
コネクタフランジ４０４は、各単一ブロック１０１及び１０３の各ステップ１３６及び１３８の表面１４０に直接半田付けされ、コネクタピン４０３は、各スルーホール１４６の内部の導電材料に向けて延び、これにリフロー半田付けされている。
【００５２】
図１に示すように、別々の単一ブロック１０１及び１０３は、複数の共振器が１以上の行列、より詳細には、図示の実施形態では、６つの共振器１１４，１１６，１１８，１２０，１２１及び１２２が、以下により詳細に述べるように、２行３列に配列された関係で配列される本発明に従う導波路フィルター１００を規定し、形成するように、相互に結合され、固定されている。
【００５３】
すなわち、図１に示すように、単一ブロック１０１及び１０３は、単一ブロック１０１の垂直側面１０８が単一ブロック１０３の垂直側面１０６に当接してこれに固定され、単一ブロック１０１のスロット１２６が、単一ブロック１０１及び１０３の縦軸Ｌ１に概略垂直の関係で、また、単一ブロック１０１の表面１０６に規定される各外側又は周辺スロット１２４及び単一ブロック１０３の表面１０８に規定される外側又は周辺スロット１２６に共通直線的に並ぶ関係で導波路フィルター１００の中央に位置する各細長い、離間した、平行の内側又は内部スロット１２９及び１３１の組を規定するように、単一ブロック１０３のスロット１２４と共通直線的に並んでおり、単一ブロック１０１のステップ１３６が単一ブロック１０３のステップ１３８に対して当接して、これと一線上に揃えられている関係で、一緒に結合され、固定されて、導波路フィルター１００を規定する。
【００５４】
このように、図１に示す関係では、導波路フィルター１００を規定する単一ブロック１０１の共振器１１４，１１６及び１１８は、第一行に並べられ、フィルター１００を規定する単一ブロック１０３の共振器１２０，１２１，１２２は、隣接する第二行に並べられ、導波路フィルター１００を規定する各単一ブロック１０１及び１０３の各共振器１１４，１２２は、隣接する横並びの列の関係で配置され、導波路フィルター１００を規定する各単一ブロック１０１及び１０３の各共振器１１６及び１２１は、隣接する横並びの列の関係で配置され、導波路フィルター１００を規定する各単一ブロック１０１及び１０３の各共振器１１８及び１２０は、隣接する横並びの列の関係で配置されている。
【００５５】
図２に示すように、導波路フィルター１００は、単一ブロック１０１の共振器１１８からのＲＦ信号を単一ブロック１０３の共振器１２０に直接伝送して結合させるための第一の直接結合ＲＦ信号伝送手段６００も有する。
【００５６】
図１，２の実施形態では、直接ＲＦ信号伝送手段６００は、各共振器１１８及び１２０の領域に各単一ブロック１０１及び１０３の各外側面１０６及び１０８に規定された、以下により詳細に述べるように、共振器１１８から共振器１２０へのＲＦ信号の伝送のための内部又は内側直接結合ＲＦ信号伝送手段６００及び内側又は内部直接結合経路を規定するように相互に当接するように適合した誘電体材料の（すなわち、導電材料の無い）各内側又は内部領域又は窓又は孔６２２を有する。
【００５７】
このように、図１に示す、組み立てられた又は完成した導波路フィルター１００は、２つの単一ブロック１０１及び１０３により規定された中央縦軸Ｌ２を規定する誘電体材料のブロック１０５と、縦軸Ｌ２と同方向に延びる一対の対向する離間した上下水平外面１０２及び１０４と、縦軸Ｌ２と同方向に延びる一対の対向する離間した垂直外面１０６及び１０８と、縦軸Ｌ２を横切る方向に延びる一対の対向する離間した垂直外端面１１０及び１１２を有する。
【００５８】
完成した導波路フィルター１００はさらに、ステップ１３６及び１３８の組み合わせにより規定される細長い端部ステップ又はノッチ１３７を有し、従って、ステップ１３６及び１３８の構造に関する上記説明がステップ１３７の構造に対して、ここに参照により組み込まれる。
【００５９】
ステップ又はノッチ１３７は、ブロック１０５の横端面１０４を接続する領域の誘電体材料のブロック１０５に規定され、ブロック１０５の縦軸Ｌ２に垂直な方向に側面１０６と側面１０８の間に延びる。ステップ１３７は、導波路フィルター１００のブロックの外面１０２から内側に離間した、これと概略平行の水平面１４０と、ブロックの垂直端部側面１１０から内側に離間した、これと平行の垂直面又は壁１４２を含む。
【００６０】
導波路フィルター１００はさらに、それについての上記説明が参照によりここに組み込まれ、縦軸Ｌ２に概略垂直の関係及び方向でブロック１０５の本体及び誘電体材料を通って延び、ステップ表面１４０及びブロック表面１０４のそれぞれの開口で終端する一対のＲＦ信号入／出力スルーホール１４６により部分的に規定される一対のＲＦ信号入／出力又は電極を有する。
【００６１】
図２に示すように、一対のスルーホール１４６の第一のものは、ステップ１３７の縦軸Ｌ２の上方に位置し、端面１０４から離間した領域に位置して規定され、一方、一対のスルーホール１４６の第二のものは、ステップ１３７の縦軸Ｌ２の下方に位置し、端面１０４から離間し、一対のスルーホール１４６の第一のものと共通直線の領域に位置して規定される。
【００６２】
導波路フィルター１００はさらに、その説明がここに参照により組み込まれ、ステップ１３７の表面１４０に離間した共通直線の関係で載置されて、それぞれＲＦ信号入／出力スルーホール１４６と結合する一対のＳＭＡＲＦ信号入／出力同軸コネクタ４００及び４０１を有する。
【００６３】
導波路フィルター１００はさらに、その説明がここに参照により組み込まれ、ブロック１０５の縦軸Ｌ２及び側面１０６の両方に概略垂直の関係でブロック１０５の本体及び誘電体材料にブロック１０５の側面１０６から延びる一対の離間した概略平行の細長いスロット１２４と、その説明がここに参照により組み込まれ、ブロック１０５の縦軸Ｌ２及び側面１０８の両方に概略垂直の関係で、さらに、各スロット１２４と共通直線で、これから離間した関係でブロック１０５の本体及び誘電体材料にブロック１０５の側面１０８から延びる一対の離間した平行の細長いスロット１２６を有し、規定する。スロット１２４及び１２６は、導波路フィルター１００のブロック１０５の上下外面１０２及び１０４と各側面１０６及び１０８の間でこれを通って延びる。
【００６４】
導波路フィルター１００はさらに、その説明がここに参照により組み込まれ、縦軸Ｌ２に概略垂直で交差する関係で方向付けられ、ブロック１０５の本体及び誘電体材料を通って延び、導波路フィルター１００のブロック１０５の上下外面１０２及び１０４の概略楕円形状の各開口で終端する一対の概略楕円形状で中央に位置する細長い離間した平行の内側スロット１２９及び１３１を有して規定する。
【００６５】
スロット１２９は、スロット１２４及び１２６の対の１つと共通直線で、これらの間でこれらから離間した関係で導波路フィルター１００のブロック１０５に位置し、スロット１３１は、スロット１２４及び１２６の他の対と共通直線で、これらの間でこれらから離間した関係で導波路フィルター１００のブロック１０５に位置する。
【００６６】
図１及び２の実施形態では、ブロック１０５のすべての外面１０２，１０４，１０６，１０８，１１２、各スロット１２４，１２６，１２９及び１３１の内面及び各ＲＦ信号入／出力スルーホール１４６の内面は、上記したように、各ＲＦ入／出力スルーホール１４６により外上面１０２に規定される開口１４７を囲む外上面１０２の領域１５１及び内部窓６２２を例外として、導電材料の層により覆われている。
【００６７】
さらに、図１及び２の実施形態では、導電材料の中央内部の細長い層又は壁１０９は、より詳細に上記したように、導電材料の層又は壁１０９に規定された誘電体材料の内側又は内部窓６２２を例外として、導波路フィルター１００のブロック１０５の縦軸Ｌ２と共通直線で共通平面の関係で、導波路フィルター１００のブロック１０５の本体の全長及び全高さを通して、垂直に延びる。
【００６８】
より詳細に上記した誘電体材料のブロック１０５、スロット１２４，１２６，１２９及び１３１及び導電材料は、図１及び２に記載され、より詳細に上記した本発明の導波路フィルター１００の２つの行及び列のＲＦ信号共振器１１４，１１６，１１８，１２０，１２１及び１２２及び誘電体材料の接続ＲＦ信号ブリッジ１２８，１３０，１３２及び１３４を規定して作り出し、共振器１４４及び１２２、共振器１１６及び１２１、及び、共振器１１８及び１２０は、横並びに配置され、以下に述べるように、導電材料の中央内部層又は壁１０９により相互に電気的に分離されている。
【００６９】
本発明によれば、導波路フィルター１００は、コネクタ４００がＲＦ信号入力コネクタを規定する本実施形態では、ステップ１３７に載置されたコネクタ４００、ステップ１３７を通って延びる、より詳細には、単一ブロック１０１に形成されたステップ１３６を通って延びる第一ＲＦ信号伝送入力スルーホール１４６；ブロック１０５のステップ１３７、より詳細には、単一ブロック１０１の共振器１１４のステップ１３６；ブロック１０５の共振器１１４、より詳細には、単一ブロック１０１の共振器１１４；ブロック１０５の共振器１１６，より詳細には、ＲＦ信号ブリッジ１２８を介して、そして、これを通って単一ブロック１０１の共振器１１６；及び、ブロック１０５の共振器１１８、より詳細には、ＲＦ信号ブリッジ１３０を介して、そして、これを通って単一ブロック１０１の共振器１１８を連続して通る図１に矢印ｄで概略示される第一の概略Ｕ形状の磁気又は誘導直接結合ＲＦ信号伝送経路又は伝送線を規定する。
【００７０】
その後、ＲＦ信号は、ブロック１０５の共振器１２０へ、より詳細には、２つの共振器１１８及び１２０の間のブロック１０５の内部に規定された内部ＲＦ信号伝送窓６２２，より詳細には、ブロック１０５の２つの単一ブロック１０１及び１０３の間に位置し、これらを分離する、より詳細には、２つの共振器１１８及び１２０の間に位置し、これらを分離する導電材料の内部層１０９により規定される窓６２２により規定される内部直接結合ＲＦ信号伝送手段６００を介して、かつ、これを通って単一ブロック１０３の共振器１２０へ；ブロック１０５の共振器１２１へ、より詳細には、ＲＦ信号ブリッジ１３２を介して単一ブロック１０３の共振器１２１へ；ブロック１０５の共振器１２２へ、より詳細には、ＲＦ信号ブリッジ１３４を介して単一ブロック１０３の共振器１２２へ；ブロック１０５のステップ１３７へ、より詳細には、単一ブロック１０３の共振器１２２の端部のステップ１３８へ；ブロック１０５のステップ１３７、より詳細には、単一ブロック１０３のステップ１３８のＲＦ信号伝送出力スルーホール１４６へ；そして、ブロック１０５のステップ１３７に載置された、より詳細には、単一ブロック１０３のステップ１３８に載置されたＲＦ信号出力コネクタ４０１へ伝送される。
【００７１】
このように、本発明に従えば、導波路フィルター１００の構造、より詳細には、ブロック１０５、これを規定する単一ブロック１０１及び１０３及びその各共振器１１４，１１６，１１８，１２０，１２１，１２２が上記のように行列で横並びの関係で配列されて、一緒に結合し、直接結合ＲＦ信号伝送手段６００が上記したように各単一ブロック１０１及び１０３の共振器１１８及び１２０を直接結合させ、これを通して、ＲＦ信号が上記のように伝送される導波路フィルター１００の使用は、導波路フィルターの長さの増大無しに、同時継続の米国特許出願番号第６１／３４５，３８２に開示された導波路フィルターのより少ない数の共振器とより短い長さのＲＦ信号経路／伝送ラインと比較して、改善された減衰、より多数の共振器及びより長いＲＦ信号経路／伝送ラインを有する導波路フィルター１００を規定して提供する。
【００７２】
図１１は、図１に示す導波路フィルター１００の特性／周波数応答の（ｄＢで測定される）減衰が縦軸に沿って示され、（ＭＨｚで測定される）周波数が横軸に沿って示されるグラフである。
【００７３】
第二実施形態
図３及び４は、図１及び２に示す導波路フィルター１００の直接ＲＦ信号結合及び伝送特性及び特徴だけでなく、以下により詳細に述べる代替クロス結合／間接ＲＦ信号結合及び伝送特性及び特徴も組み込んだ導波路フィルター１１００を示す。
【００７４】
導波路フィルター１１００は、上記した、そしてそれ故にここに組み込まれる導波路フィルター１００と同様に、図３及び４の実施形態では、以下により詳細に述べるように、導波路フィルター１１００を形成するように一緒に結合して固定された一対の分離した概略平行六面体形状の単一ブロック１１０１及び１１０３から形成される。各単一ブロック１１０１及び１１０３は、例えば、セラミックスなどの適切な誘電体材料からなり、縦軸Ｌ１を規定し、縦軸Ｌ１と同方向に縦に延びる対向して離間した縦水平外面１１０２及び１１０４と、縦軸Ｌ１と同方向に縦に延びる対向して離間した縦側垂直外面１１０６及び１１０８と、各単一ブロック１１０１及び１１０３の縦軸Ｌ１と概略垂直同方向に延びる対向して離間した横側垂直外端面１１１０及び１１１２を含む。
【００７５】
単一ブロック１１０１及び１１０３は、それぞれ列の関係で配列され、各単一ブロック１１０１及び１１０３の長さ及び縦軸Ｌ１に沿って縦に離間し、各単一ブロック１１０１及び１１０３の表面１１０２，１１０４，１１０６及び１１０８に切れ込んだ複数の（より詳細には図３及び４の実施形態では２つの）離間した垂直スリット又はスロット１１２４及び１１２６により相互に分離されて、以下に詳細に述べるように、誘電体材料のＲＦ信号ブリッジ１１２８，１１３０，１１３２及び１１３４により相互接続された各複数の共振器セクション（キャビティ又はセル又は共振器とも称される）１１１４，１１１６，１１１８及び１１２０，１１２１及び１１２２を含む。
【００７６】
２つのスロット１１２４は、離間して平行の関係で、縦軸Ｌ１に概略垂直の関係で、各単一ブロック１１０１及び１１０３の側面１１０６の長さに沿って延びる。各スロット１１２４は、側面１１０６及び対向する水平面１１０２及び１１０４を通って、そして、各単一ブロック１１０１及び１１０３の本体及び誘電体材料を部分的に通って切れ込んでいる。
【００７７】
２つのスロット１１２６は、離間して平行の関係で、縦軸Ｌ１に概略垂直の関係で、そして、側面１１０６に規定される各スロット１１２４と対向して、共通直線で、共通平面の関係で各単一ブロック１１０１及び１１０３の対向する側面１１０８の長さに沿って延びる。各スロット１１２６は、側面１１０８及び対向する水平面１１０２及び１１０４を通って、そして、各単一ブロック１１０１及び１１０３の本体及び誘電体材料を部分的に通って切れ込んでいる。
【００７８】
離間した共通直線で共通平面の関係によって、各スロット１１２４及び１１２６の組は、一緒になって、共振器１１１４，１１１６及び１１１８の間に延びて、これらを相互接続する複数の（より詳細には、図３及び４の実施形態では２つの）概略中央に位置する単一ブロック１１０１のＲＦ信号ブリッジ１１２８，１１３０と、共振器１１２０，１１２１及び１１２２の間に延びて、これらを相互接続する単一ブロック１１０３のＲＦ信号ブリッジ１１３２及び１１３４を規定し、これらはそれぞれ、各単一ブロック１１０１及び１１０３の縦軸Ｌ１に概略垂直で交差する関係及び方向で各単一ブロック１１０１及び１１０３の面１１０２及び１１０４の間に延びる誘電体材料のブリッジ又はアイランドからなる。
【００７９】
すなわち、誘電体材料のブリッジ１１２８は、共振器１１１４の誘電体材料を共振器１１１６の誘電体材料にブリッジし、相互接続し、一方、誘電体材料のブリッジ１１３０は、共振器１１１６の誘電体材料を共振器１１１８の誘電体材料にブリッジし、相互接続する。同様に、単一ブロック１１０３の誘電体材料のブリッジ１１３２は、共振器１１２０の誘電体材料を共振器１１２１の誘電体材料にブリッジし、相互接続し、一方、誘電体材料のブリッジ１１３４は、共振器１１２１の誘電体材料を共振器１１２２の誘電体材料にブリッジし、相互接続する。
【００８０】
図示の実施形態では、各ＲＦ信号ブリッジ１１２８，１１３０，１１３２及び１１３４の幅は、対向するスロット１１２４及び１１２６の間の距離に依存し、図示の実施形態では、各単一ブロック１１０１及び１１０３の幅の約１／３である。
【００８１】
スロット１１２４及び１１２６の幅及び深さは、ＲＦ信号ブリッジ１１１８，１１３０，１１３２及び１１３４の幅及び長さを変化させるように変化され得る。
【００８２】
単一ブロック１１０１及び１１０３は、さらに、それぞれの端部ステップ又はノッチ１１３６及び１１３８をそれぞれ有し、かつ、規定し、これらはそれぞれ、図示の実施形態では、縦表面１１０４の概略Ｌ形状の凹んだ又は溝付けされた又は肩付けされた又は切れ込んだ領域又はセクションと、対向する側面１１０６及び１１０８と、各単一ブロック１１０１及び１１０３の、より詳細には、各共振器１１１４，１１２２の対向する側端面１１１０及び１１１２を有し、端部ステップ又はノッチ１１３６及び１１３８から誘電体材料が除去されており又は誘電体材料が存在しない。
【００８３】
ステップ１１３６及び１１３８のすべての特性及び特徴は、導波路フィルター１００のステップ１３６及び１３８の特性及び特徴と同じであり、したがって、そのような特性及び特徴についての上記説明はステップ１１３６及び１１３８のためにここに参照により組み込まれる。各単一ブロック１１０１及び１１０３はさらに、各ステップ１１３６及び１１３８の表面１１４０及び各単一ブロック１１０１及び１１０３の表面１１０４に概略垂直の関係で、単一ブロック１１０１及び１１０３の縦軸Ｌ１に垂直で共通直線の方向に延びる各単一ブロック１１０１及び１１０３の本体を、より詳細には、その各ステップ１１３６及び１１３８を、さらに詳細には、各単一ブロック１１０１及び１１０３に規定された各端部共振器１１１４及び１１２２を通って各ステップ１１３６及び１１３８の表面１１４０及び各単一ブロック１１０１及び１１０３の表面１１０４の間に延びる各スルーホール１１４６の形態の電気ＲＦ信号入／出力電極を有する。
【００８４】
さらに詳細には、各ＲＦ信号入／出力スルーホール１１４６は、各単一ブロック１１０１及び１１０３の各横側端面１１１０から離間して、概略これに平行であり、ステップ表面１１４０及び単一ブロック表面１１０４に位置し、終端する各概略円形開口を規定する。
【００８５】
ＲＦ信号入／出力スルーホール１１４６は、側端面１１１０及びステップ壁又は表面１１４２の間で、これらから概略離間して、また、これに平行の関係で、各単一ブロック１１０１及び１１０３及び各ステップ１１３６及び１１３８の内部に位置し、これを通って延びる。
【００８６】
単一ブロック１１０１及び１１０３のすべての外表面１１０２，１１０４，１１０６，１１０８，１１１０及び１１１２、スロット１１２４及び１１２６の内部表面及び入／出力スルーホール１１４６の内部表面は、以下により詳細に述べる領域及び不図示の領域であるが、各スルーホール１１４６によりステップ表面１１４０に規定される開口を囲む図２に示される領域１５１と同一の領域を例外として、例えば、銀などの適切な導電材料により覆われている。
【００８７】
単一ブロック１１０１及び１１０３はさらに、それぞれが、概略長方形のコネクタベースプレート又はフランジ１４０４、フランジ１４０４の上面から概略垂直に一体に上方に及び外方に延びる概略円筒形のコネクタハウジング又はシェル１４０６及びシェル１４０６の内部及びフランジ１４０４の本体の両方を通って延びる細長い中央コネクタピン１４０３を含む、ＳＭＡＲＦ信号入／出力同軸コネクタ１４００及び１４０１を有する。
【００８８】
各コネクタ１４００及び１４０１は、各単一ブロック１１０１及び１１０３の側面１１０６及び１１０８に概略垂直の関係で各単一ブロック１１０１及び１１０３の各ステップ１１３６及び１１３８に対して据え付けられており、各コネクタ１４００及び１４０１のベースプレート１４０４は各ステップ１１３６及び１１３８の表面１１４０に対して据え付けられ、シェル１４０６は各ステップ１１３６及び１１３８に規定された各スルーホール１１４６と同軸に並べられている。
【００８９】
コネクタフランジ４０４は、各単一ブロック１０１及び１０３の各ステップ１３６及び１３８の表面１４０に直接半田付けされ、コネクタピン４０３は、各スルーホール１４６の内部の導電材料に向けて延び、これにリフロー半田付けされている。
【００９０】
図３に示すように、別々の単一ブロック１１０１及び１１０３は、導波路フィルター１００について上記したのと同様に導波路フィルター１０００を規定し、形成するように、相互に結合され、固定されており、複数の共振器１１１４，１１１６，１１１８，１１２０，１１２１及び１１２２は、導波路フィルター１００の共振器１１４，１１６，１１８，１２０，１２１及び１２２と同様に２行３列に配列されており、したがって、上記の説明は、導波路フィルター１１００に関して参照によりここに組み込まれる。
【００９１】
特に、図３に示すように、単一ブロック１１０１及び１１０３は、単一ブロック１１０１の垂直側面１１０８が単一ブロック１１０３の垂直側面１１０６に当接してこれに固定され、単一ブロック１１０１のスロット１１２６が、単一ブロック１１０１及び１１０３の縦軸Ｌ１に概略垂直の関係で、また、単一ブロック１１０１の表面１１０６に規定される各外側又は周辺スロット１１２４及び単一ブロック１１０３の表面１１０８に規定される外側又は周辺スロット１１２６に共通直線的に並ぶ関係で導波路フィルター１１００の中央に位置する各細長い、離間した、平行の内側又は内部スロット１１２９及び１１３１の組を規定して形成するように、単一ブロック１１０３のスロット１１２４と共通直線的に並んでおり、単一ブロック１１０１のステップ１１３６が単一ブロック１１０３のステップ１１３８に対して当接して、これと一線上に揃えられている関係で、一緒に結合され、固定されて、導波路フィルター１１００を規定する。
【００９２】
このように、図３に示す関係では、導波路フィルター１１００を規定する単一ブロック１１０１の共振器１１１４，１１１６及び１１１８は、第一行に並べられ、フィルター１１００を規定する単一ブロック１１０３の共振器１１２０，１１２１，１１２２は、隣接する第二行に並べられ、各単一ブロック１１０１及び１１０３の各共振器１１１４及び１１２２は、隣接する横並びの列の関係で配置され、各単一ブロック１１０１及び１１０３の各共振器１１１６及び１１２１は、隣接する横並びの列の関係で配置され、各単一ブロック１１０１及び１１０３の各共振器１１１８及び１１２０は、隣接する横並びの列の関係で配置されている。
【００９３】
導波路フィルター１１００はさらに、各単一ブロック１１０１及び１１０３の各共振器１１１８及び１１２０の間で直接ＲＦ信号を伝送するための第一の直接結合ＲＦ信号伝送手段１６００（上記のＲＦ信号伝送手段６００と同じであり、その説明は参照によりここに組み込まれる）を有する。
【００９４】
図３，４の実施形態では、直接結合ＲＦ信号伝送手段１６００は、各共振器１１１８及び１１２０の領域でこれらの間で各単一ブロック１１０１及び１１０３の各外側面１１０６及び１１０８に規定された、単一ブロック１１０１の共振器１１１８から単一ブロック１１０３の共振器１１２０へのＲＦ信号の伝送のための直接結合ＲＦ信号伝送手段１６００及び直接経路を規定するように相互に当接する導電材料の無い各内側又は内部領域又は窓又は孔１６２２（すなわち、誘電体材料の領域又は孔１６２２）を有する。
【００９５】
導波路フィルター１１００は、導波路フィルター１０００が、図示の実施形態では、特定のインピーダンス及び位相（フェイズ）を有し、各単一ブロック１１０１及び１１０３の各共振器１１１６及び１１２１の間で、これらを相互接続し、これらを電気的に結合させ、これらを相互接続する外部、クロス結合／間接結合−バイパス又は代替ＲＦ信号伝送電極又はブリッジ部材又は伝送ライン１５００の形態である第一の間接の、代替的な、又は、クロス結合ＲＦ信号伝送手段をさらに有する点で導波路フィルター１００と相違する。
【００９６】
図示の実施形態では、外部クロス結合伝送ライン１５００は、各単一ブロック１１０１及び１１０３の各上面１１０２に載置されてこれらをブリッジする概略長方形状の印刷回路基板１５０２を含み、これにより規定される。外部クロス結合伝送電極１５００はさらに、各単一ブロック１１０１及び１１０３の各共振器１１１６及び１１２１をブリッジし、これらの上に延びる印刷回路基板１５０２の上面上に規定されて形成された細長い導電材料のストリップ１５０４を有する。
【００９７】
さらに、図３には示されていないが、印刷回路基板１５０２が、印刷回路基板１５０２の本体を通って延び、共振器１１１６及び１１２１を電気的にクロス結合させるための、各単一ブロック１１０１及び１１０３の各共振器１１１６及び１１２１の各上面１１０２から外方に延びて導電材料の細長いストリップ１５０４の対向端部に接触する各導電ポスト１５１０及び１５１２を受容するように適合された各内部スルーホールを含み、規定することが理解される。
【００９８】
導波路フィルター１１００は、導波路フィルター１１００がさらに、単一ブロック１１０１の共振器１１１４から単一ブロック１１２２の共振器１１２２にＲＦ信号を伝送するための第二の間接、代替、又は、クロス結合ＲＦ信号伝送手段１７００を有する点で導波路フィルター１００とさらに相違する。
【００９９】
図３及び４の実施形態では、間接又クロス結合ＲＦ信号伝送手段１７００は、各共振器１１１４及び１１１２の領域でかつこれらの間の領域で、より詳細には、各ステップ１１３６及び１１３８の垂直端壁１１４２と、各共振器１１１４及び１１１６及び共振器１１２２及び１１２１の間に位置する各第一対のスロット１２４及び１２６の間に位置する各外面１１０６及び１１０８の領域で各単一ブロック１１０１及び１１０３の各外側面１１０６及び１１０８に規定された各誘電体材料のＲＦ信号伝送内側又は内部窓又は領域又は孔１７２２（すなわち、導電材料の無い領域）を有する。各窓１７２２は、相互に当接して、共振器１１１４から共振器１１２２へのＲＦ信号の伝送のための内側又は内部間接又はクロス結合ＲＦ信号伝送手段１７００及び内側又は内部間接又はクロス結合経路を規定する。
【０１００】
このように、図３に示す、組み立てられた又は完成した導波路フィルター１０００は、２つの単一ブロック１１０１及び１１０３により規定された中央縦軸Ｌ２を規定する誘電体材料のブロック１１０５と、縦軸Ｌ２と同方向に延びる１対の対向する離間した上下水平外面１１０２及び１１０４と、縦軸Ｌ２と同方向に延びる１対の対向する離間した垂直外面１１０６及び１１０８と、縦軸Ｌ２を横切る方向に延びる１対の対向する離間した垂直外端面１１１０及び１１１２を有する。
【０１０１】
完成した導波路フィルター１００はさらに、縦端面１１０４を接合する領域で誘電体材料のブロック１１０５に規定され、側面１１０６と側面１１０８の間でブロック１１０５の縦軸Ｌ２に垂直の方向に延びる細長い端部ステップ又はノッチ１１３７を有する。組み合わせによってステップ１１３７を規定するステップ１１３６及び１１３８と同じ構造及び特徴を有するステップ１１３７は、導波路フィルター１１００のブロック１１０５の外面１１０２から離間してこれと概略平行の水平面１１４０と、ブロック及び垂直面１１１０から離間してこれと平行の垂直端面１１４２を有する。
【０１０２】
完成した導波路フィルター１１００はさらに、それについての上記説明が参照によりここに組み込まれ、縦軸Ｌ２に概略垂直の関係及び方向でブロック１１０５の本体及び誘電体材料を通って延び、ステップ表面１１４０及びブロック表面１１０４のそれぞれの開口で終端する一対のＲＦ信号入／出力スルーホール１１４６により部分的に規定される一対のＲＦ信号入／出力又は電極を有する。図４に示すように、一対のスルーホール１１４６の第一のものは、ステップ１１３７の縦軸Ｌ２の上方に位置し、端面１１０４から離間した領域に位置して規定され、一方、一対のスルーホール１１４６の第二のものは、ステップ１１３７の縦軸Ｌ２の下方に位置し、端面１１０４から離間し、一対のスルーホール１１４６の第一のものと共通直線の領域に位置して規定される。
【０１０３】
導波路フィルター１１００はさらに、その説明がここに参照により組み込まれ、ステップ１１３７の表面１１４０に離間した共通直線の関係で載置されてそれぞれＲＦ信号入／出力スルーホール１１４６と結合する一対のＳＭＡＲＦ信号入／出力同軸コネクタ１４００及び１４０１を有する。
【０１０４】
導波路フィルター１１００はさらに、その説明がここに参照により組み込まれ、ブロック１１０５の縦軸Ｌ２及び側面１１０６の両方に概略垂直の関係でブロック１１０５の本体及び誘電体材料にブロック１１０５の側面１１０６から延びる一対の離間した概略平行の細長いスロット１１２４と、その説明がここに参照により組み込まれ、ブロック１１０５の縦軸Ｌ２及び側面１１０８の両方に概略垂直の関係で、さらに、各スロット１１２４と共通直線で、これから離間した関係でブロック１１０５の本体及び誘電体材料にブロック１１０５の側面１１０８から延びる一対の離間した概略平行の細長いスロット１１２６を有し、規定する。スロット１１２４及び１１２６は、導波路フィルター１１００のブロック１１０５の上下外面１１０２及び１１０４と各側面１１０６及び１１０８の間でこれを通って延びる。
【０１０５】
導波路フィルター１１００はさらに、その説明がここに参照により組み込まれ、ブロック１１０５の縦軸Ｌ２に概略垂直で交差する関係でブロック１１０５の本体及び誘電体材料を通って延び、導波路フィルター１１００のブロック１１０５の上下外面１１０２及び１１０４の概略楕円形状の各開口で終端する一対の概略楕円形状で中央に位置する細長い離間した平行の内側スロット１１２９及び１１３１を有して規定する。
【０１０６】
スロット１１２９は、スロット１１２４及び１１２６の対の１つと共通直線で、これらの間でこれらから離間した関係で導波路フィルター１１００のブロック１１０５に位置し、スロット１１３１は、スロット１１２４及び１１２６の対の他方と共通直線で、これらの間でこれらから離間した関係で導波路フィルター１１００のブロック１１０５に位置する。
【０１０７】
図３及び４の実施形態では、クロス結合ＲＦ信号伝送手段１５００は、スロット１１２９及び１１３１の間で、これらから離間して、これらに平行に位置する。
【０１０８】
図３及び４の実施形態では、すべての外面１１０２，１１０４，１１０６，１１０８，１１１２、各スロット１１２４，１１２６，１１２９及び１１３１の内面及び各ＲＦ信号入／出力スルーホール１１４６の内面は、図示されないが、上記したような各ＲＦ信号入／出力スルーホール１１４６によりステップ１１３７の面１１４０に規定される開口を囲む領域１５１と同じ領域を例外として、導電材料の層により覆われている。
【０１０９】
さらに、図３及び４の実施形態では、導電材料の中央内部層又は壁１１０９は、より詳細に上記したように、層１１０９に規定された導電材料の無い、誘電体材料の内側又は内部窓１６２２及び１７２２を例外として、導波路フィルター１１００のブロック１１０５の縦軸Ｌ２と共通直線で共通平面の関係で、導波路フィルター１１００のブロック１１０５の本体の全長及び全高さを通して、垂直に延びる。
【０１１０】
誘電体材料のブロック１１０５、スロット１１２４，１１２６，１１２９及び１１３１及び更なる詳細を上記したようにこれらを覆う導電材料は、図３及び４に記載されるように導波路フィルター１１００のブロック１１０５の２つの行及び列のＲＦ信号共振器１１１４，１１１６，１１１８，１１２０，１１２１及び１１２２及び誘電体材料の接続ＲＦ信号ブリッジ１１２８，１１３０，１１３２及び１１３４を規定して作り出し、共振器１１４４及び１１２２、共振器１１１６及び１１２１、及び、共振器１１１８及び１１２０は、横並びの関係で配置され、窓１６２２及び１７２２及びＲＦ振動伝送手段１５００を含む領域を除いて誘電体材料の中央内部層又は壁１１０９により相互に電気的に分離されている。
【０１１１】
本発明によれば、上記した導波路フィルター１００と同様に（したがって参照によりここに組み込まれる）、導波路フィルター１１００は、コネクタ１４００がＲＦ信号入力コネクタを規定する本実施形態では、コネクタ１４００；ステップ１１３７のＲＦ信号伝送入力スルーホール１１４６；ステップ１１３７、より詳細には、単一ブロック１１０１の共振器１１１４のステップ１１３６；ブロック１１０５の共振器１１１４、より詳細には、単一ブロック１１０１の共振器１１１４；ブロック１１０５の共振器１１１６，より詳細には、ＲＦ信号ブリッジ１１２８を介して、そして、これを通って単一ブロック１１０１の共振器１１１６；及び、ブロック１１０５の共振器１１１８、より詳細には、ＲＦ信号ブリッジ１１３０を介して、そして、これを通って単一ブロック１１０１の共振器１１１８を連続して通る図３に矢印ｄで概略示されるＲＦ信号のための第一の概略Ｕ形状の磁気又は誘導直接結合ＲＦ信号伝送経路を規定する。
【０１１２】
その後、ＲＦ信号は、ブロック１１０５の共振器１１２０へ、より詳細には、２つの共振器１１１８及び１１２０の間のブロック１１０５の内部に導電材料の内部層１１０９により規定された内部ＲＦ信号伝送窓１６２２により規定される直接結合ＲＦ信号伝送手段１６００を介して単一ブロック１１０３の共振器１１２０へ；ブロック１１０５の共振器１１２１へ、より詳細には、ＲＦ信号ブリッジ１１３２を介してして単一ブロック１１０３の共振器１１２１へ；ブロック１１０５の共振器１１２２へ、より詳細には、ＲＦ信号ブリッジ１１３４を介して単一ブロック１１０２の共振器１１２２へ；ステップ１１３７、より詳細には、単一ブロック１１０３の共振器１１２２の端部に規定されたステップ１１３８に位置するＲＦ信号伝送出力スルーホール１１４６へ：ステップ１１３７へ、より詳細には、単一ブロック１１０３の共振器１１２１の端部のステップ１１３８へ戻り、そして、ステップ１１３７に載置された、より詳細には、単一ブロック１１０３のステップ１１３８に載置されたＲＦ信号出力コネクタ１４０１へ伝送される。
【０１１３】
本発明のこの実施形態では、導波路フィルター１１００は、図３の矢印ｃで概略示される一対のＲＦ信号のための代替又は間接又はクロス結合ＲＦ信号伝送経路も規定し、提供する。
【０１１４】
クロス結合又は間接電場／容量ＲＦ信号伝送経路ｃの一つは、ブロック１１０５の共振器１１１６、より詳細には、単一ブロック１１０１の共振器１１１６を通って伝送される直接ＲＦ信号の小さい部分がブロック１１０５の共振器１１２１、より詳細には、単一ブロック１１０３の共振器１１２１に、ブロック１１０５の各共振器１１１６及び１１２１、より詳細には、各単一ブロック１１０１及び１１０３の共振器１１１６及び１１２１をブリッジし、これらを電気的に相互接続する導電材料の外部ストリップ１５０４を介して直接伝送されることを可能にする外部ＲＦ信号伝送ライン１５００により規定され、生成される。
【０１１５】
他のクロス結合又は間接磁気／誘導ＲＦ信号伝送経路ｃは、ブロック１１０５の共振器１１１４、より詳細には、単一ブロック１１０１の共振器１１１４を通って伝送される直接ＲＦ信号の小さい部分が、ブロック１１０５の共振器１１２２，より詳細には、単一ブロック１１０３の共振器１１２２に、共振器１１１４及び１１２２の間のブロック１１０５の内側に規定される内部又は内側ＲＦ信号伝送窓１７２２を通って、及び、これを介して直接伝送されることを可能にする内部又は内側ＲＦ信号伝送手段１７００により規定され、生成される。
【０１１６】
本発明によれば、上記したＲＦ信号のクロス結合が、各第一及び第二の対の伝送ゼロを好適に生成し、図３に示す導波路フィルター１１００の性能／周波数応答のグラフである、縦軸に沿って（ｄＢで測られる）減衰が示され、横軸に沿って（ＭＨｚで測られる）周波数が示される図１２に示すように、その第一の対は、導波路フィルター１１００の通過帯域の下に位置し、その第二の対は、導波路フィルター１１００の通過帯域の上に位置する。
【０１１７】
さらに図３に示す本発明の実施形態によれば、内部ＲＦ信号伝送窓１６２２は、各共振器１１１６及び１１２１の間に延びてこれらを相互接続する外部ＲＦ伝送ライン１５００により生成され、規定される間接又はクロス容量結合よりも強い誘導直接ＲＦ信号結合を生成するように設計され／大きいさが決められており、当該外部ＲＦ伝送ライン１５００は、各共振器１１１４及び１１１２の間でこれらを相互接続する内部ＲＦ伝送窓１７２２により生成され、規定される間接、クロス結合よりも強い間接クロス結合を生成するように設計され／大きいさが決められている。
【０１１８】
第三実施形態
図５及び６は、以下により詳細に説明するように、導波路フィルター２１００が、ステップ２１３７、より詳細には、異なる長さを有し、シャントゼロ（短絡ゼロ／shunt zero）を規定するステップ２１３６及び２１３８を含むことを除いて導波路フィルター１００及び１１００のすべての要素及び特徴を有する本発明に従う導波路フィルター２１００のさらに他の実施形態を示す。
【０１１９】
このように、導波路フィルター１００及び１１００について上記したように（したがって、参照により組み込まれる）、図示の実施形態では、導波路フィルター２１００は、以下に詳説されるように、一緒に結合され、固定されることで導波路フィルター２１００を形成する一対の分離した概略平行六面体形状の単一ブロック２１０１及び２１０３から形成される。
【０１２０】
各単一ブロック２１０１及び２１０３は、例えば、セラミックスなどの適切な誘電体材料からなり、縦軸Ｌ１を規定し、縦軸Ｌ１と同方向に縦に延びる対向して離間した縦水平外面２１０２及び２１０４と、縦軸Ｌ１と同方向に縦に延びる対向して離間した縦側垂直外面２１０６及び２１０８と、各単一ブロック２１０１及び２１０３の縦軸Ｌ１と概略垂直同方向に延びる対向する横側垂直外面２１１０及び２１１２を含む。
【０１２１】
各単一ブロック２１０１及び２１０３は、それぞれ行の関係で配列され、各単一ブロック２１０１及び２１０３の長さ及び縦軸Ｌ１に沿って縦に離間し、各単一ブロック２１０１及び２１０３の表面２１０２，２１０４，２１０６及び２１０８に切れ込んだ複数の（より詳細には図５の実施形態では２つの）離間した垂直スリット又はスロット２１２４及び２１２６により相互に分離されて、以下に詳細に述べるように、ＲＦ信号ブリッジ２１２８，２１３０，２１３２及び２１３４により相互接続された各複数の共振器セクション（キャビティ又はセル又は共振器とも称される）２１１４，２１１６及び２１１８及び２１２０，２１２１及び２１２２を含む。
【０１２２】
２つのスロット２１２４は、離間して平行の関係で、縦軸Ｌ１に概略垂直の関係で、各単一ブロック２１０１及び２１０３の側面２１０６の長さに沿って延びる。各スロット２１２４は、側面２１０６及び対向する水平面２１０２及び２１０４を通して、そして、各単一ブロック２１０１及び２１０３の本体及び誘電体材料を部分的に通して切れ込んでいる。
【０１２３】
２つのスロット２１２６は、離間して平行の関係で、縦軸Ｌ１に概略垂直の関係で、そして、側面２１０６に規定される各スロット２１２４と対向して、共通直線で、共通平面の関係で各単一ブロック２１０１及び２１０３の対向する側面２１０８の長さに沿って延びる。各スロット２１２６は、側面２１０８及び対向する水平面２１０２及び２１０４を通して、そして、各単一ブロック２１０１及び２１０３の本体及び誘電体材料を部分的に通して切れ込んでいる。
【０１２４】
離間した共通直線で共通平面の関係によって、スロット２１２４及び２１２６の各対は、一緒になって、共振器２１１４，２１１６及び２１１８の間に延びて、これらを相互接続する複数の（より詳細には、図５の実施形態では２つの）概略中央に位置する単一ブロック２１０１のＲＦ信号ブリッジ２１２８，２１３０と、共振器２１２０，２１２１及び２１２２の間に延びて、これらを相互接続する単一ブロック２１０３のＲＦ信号ブリッジ２１３２及び２１３４を規定し、これらはそれぞれ、各単一ブロック２１０１及び２１０３の縦軸Ｌ１に概略垂直で交差する関係及び方向で各単一ブロック２１０１及び２１０３の面２１０２及び２１０４の間に延びる誘電体材料のブリッジ又はアイランドからなる。
【０１２５】
特に、単一ブロック２１０１の誘電体材料のブリッジ２１２８は、共振器２１１４の誘電体材料を共振器２１１６の誘電体材料にブリッジし、相互接続し、一方、誘電体材料のブリッジ２１３０は、共振器２１１６の誘電体材料を共振器２１１８の誘電体材料に相互接続する。同様に、単一ブロック２１０３の誘電体材料のブリッジ２１３２は、共振器２１２０の誘電体材料を共振器２１２１の誘電体材料に相互接続し、一方、誘電体材料のブリッジ２１３４は、共振器２１２１の誘電体材料を共振器２１２２の誘電体材料にブリッジし、相互接続する。
【０１２６】
図示の実施形態では、各ＲＦ信号ブリッジ２１２８，２１３０，２１３２及び２１３４の幅は、対向するスロット２１２４及び２１２６の間の距離に依存し、図示の実施形態では、各単一ブロック２１０１及び２１０３の幅の約１／３である。
【０１２７】
どの図にも示されていないが、スロット２１２４及び２１２６の厚さ又は幅及び側面２１０６又２１０８のそれぞれから各単一ブロック２１０１及び２１０３の本体及び誘電体材料へとスロット２１２４及び２１２６が延びる深さ又は距離は、ＲＦ信号ブリッジ２１２８及び２１３０の幅及び長さが、導波路フィルター２１００の電気結合及び帯域幅の制御、したがって、導波路フィルター装置２１００の性能特性の制御を可能にするように変更されるのを可能にする特定の用途に依存して変化し得る。
【０１２８】
単一ブロック２１０１及び２１０３は、さらに、それぞれの端部ステップ又はノッチ２１３６及び２１３８をそれぞれ有し、かつ、規定し、これらはそれぞれ、図示の実施形態では、縦表面２１０４の概略Ｌ形状の凹んだ又は溝付けされた又は肩付けされた又は切れ込んだ領域又はセクションと、対向する側面２１０６及び２１０８と、単一ブロック２１０１の対向する側端面２１１０及び２１１２を有し、端部ステップ又はノッチ２１３６及び２１３８から誘電体材料が除去されており又は誘電体材料が存在しない。
【０１２９】
換言すれば、各ステップ２１３６及び２１３８は、各単一ブロック２１０１及び２１０３の各端部セクション又は領域、より詳細には、各単一ブロック２１０１及び２１０３の残りの部分の高さよりも低い高さを有する各端部共振器２１１４及び２１２２に規定され、各単一ブロック２１０１及び２１０３の各端部セクション又は領域、より詳細には、各単一ブロック２１０１及び２１０３の残りの部分の高さよりも低い高さを有する各端部共振器２１１４及び２１２２により規定されている。
【０１３０】
さらに換言すれば、各ステップ２１３６及び２１３８はそれぞれ、各単一ブロック２１０１及び２１０３に規定された各端部共振器２２１４及び２１２２の概略Ｌ形状の凹んだ又は切れ込んだ部分を有し、これは、各単一ブロック２１０１及び２１０３の表面２１０４に位置し、又は、これから内側に向けられ、これから離間し、そして、これに対して平行の第一の概略水平の面２１４０と、各単一ブロック２１０１及び２１０３の各即端面２１１０及び２１１２に位置し、又は、これらから内側に向けられ、これらから離間し、そして、これらに対して平行の第二の概略垂直の面２１４２を含む。
【０１３１】
しかし、ステップ２１３６及び２１３８が各導波路フィルター１００及び１０００のステップよりも長く、図示の実施形態では、ステップ２１３８がステップ２１３６よりも長い点で、導波路フィルター２１００のステップ２１３６及び２１３８は、導波路フィルター１００のステップ１３６及び１３８と構造が相違する。
【０１３２】
図５及び６に示すように、導波路フィルター２１００はさらに、単一ブロック２１０１及び２１０３がさらに、各単一ブロック２１０１及び２１０３の各表面２１０６及び２１０８に規定され、各単一ブロック２１０１及び２１０３の縦軸Ｌ１に垂直で、各ステップ２１３６及び２１３８を規定する垂直壁２１４０から離間した関係で、さらに、各コネクタ２４００及び２４０１が一対のスロット２１２４及び２１２６のそれぞれと各ステップ２１３６及び２１３８の垂直壁２１４０の間で各ステップ２１３６及び２１３８に載置される関係で、各ステップ２１３６及び２１３８に位置してこれらのそれぞれに規定される追加の一対の共通直線上に並んだ対向するスロット２１２４及び２１２６を有する点で導波路フィルター１００及び１１００と構造的に相違する。
【０１３３】
各単一ブロック２１０１及び２１０３はさらに、縦軸Ｌ１に概略垂直の関係で各単一ブロック２１０１及び２１０３を通って、より詳細には、各ステップ２１３６及び２１３８を通って、さらに詳細には、各ステップ２１３６及び２１３８の表面２１４０と各単一ブロック２１０１及び２１０３の表面２１０４の間で、かつ、これらに概略垂直の関係で各単一ブロック２１０１及び２１０３に規定された各端部共振器２１１４及び２１２２の本体を通って延びる各スルーホール２１４６（図６）の形態の電気ＲＦ信号入／出力電極を有する。
【０１３４】
さらに詳細には、各入／出力スルーホール２１４６は、各単一ブロック２１０１及び２１０３の各横側端面２１１０から離間して、概略これに平行であり、ステップ表面２１４０及び単一ブロック表面２１０４のそれぞれに位置し、終端する各概略円形開口（不図示）を規定する。
【０１３５】
ＲＦ信号入／出力スルーホール２１４６は、追加の一対のスロット２１２４及び２１２６とステップ壁又は表面２１４２の間で、これらから離間してこれらと平行の関係で、さらに、縦軸Ｌ１に概略垂直で交差する方向で、ステップ２１３６及び２１３８の領域において各単一ブロック２１０１及び２１０３及び各ステップ２１３６及び２１３８に位置して配置され、また、これらの内部を通って延びている。
【０１３６】
単一ブロック２１０１のすべての外表面２１０２，２１０４，２１０６，２１０８，２１１０及び２１１２、各スロット２１２４及び２１２６の内部表面及び入／出力スルーホール２１４６の内部表面は、図１に示されて詳細を上記した領域１５１と同一の領域（不図示）を含む以下により詳細に述べる領域を例外として、例えば、銀などの適切な導電材料により覆われている。
【０１３７】
単一ブロック２１０１及び２１０３はさらに、上記の通りステップ２１３６及び２１３８上に載置され、それぞれが、概略長方形のコネクタベースプレート又はフランジ２４０４、フランジ２４０４の上面から概略垂直に一体に上方に及び外方に延びる概略円筒形のコネクタハウジング又はシェル２４０６及びシェル２４０６の内部及びフランジ２４０４の本体の両方を通って延びる細長い中央コネクタピン２４０３を含む、ＳＭＡＲＦ信号入／出力同軸コネクタ２４００及び２４０１を有する。
【０１３８】
各コネクタ２４００及び２４０１は、各単一ブロック２１０１及び２１０３の側面２１０６及び２１０８に概略垂直の関係で各単一ブロック２１０１及び２１０３の各ステップ２１３６及び２１３８に対して据え付けられており、各コネクタ２４００及び２４０１のベースプレート２４０４は各ステップ２１３６及び２１３８の表面２１４０に対して据え付けられ、シェル２４０６は各ステップ２１３６及び２１３８に規定された各スルーホール２１４６と同軸に並べられている。
【０１３９】
コネクタフランジ２４０４は、各単一ブロック２１０１及び２１０３の各ステップ２１３６及び２１３８の表面２１４０に直接半田付けされ、コネクタピン２４０３は、各スルーホール２１４６の内部の導電材料に向けて延び、これにリフロー半田付けされている。
【０１４０】
図示の実施形態では、各コネクタ２４００及び２４０１は、スロット２１２４及び２１２６の各追加の対と各ステップ２１３６及び２１３８の垂直端面２１４２の間に位置する各ステップ２１３６及び２１３８の各部分に、縦軸Ｌ１に概略垂直で交差する方向及び関係で載置されている。
【０１４１】
図５に示すように、別々の単一ブロック２１０１及び２１０３は、以下により詳細に説明するように、導波路フィルター２１００を規定し、形成するように、相互に結合され、固定されており、複数の共振器２１１４，２１１６，２１１８，２１２０，２１２１及び２１２２は、１以上の行列に配置され、より詳細には、図示の実施形態では、複数の共振器２１１４，２１１６，２１１８，２１２０，２１２１及び２１２２は、２行３列のパターンで配列されている。
【０１４２】
特に、図5に示すように、単一ブロック２１０１及び２１０３は、単一ブロック２１０１の垂直側面２１０８が単一ブロック２１０３の垂直側面２１０６に当接してこれに固定され；単一ブロック２１０１のスロット２１２６が、単一ブロック２１０１及び２１０３の縦軸Ｌ１に概略垂直の関係で、また、単一ブロック２１０１の表面２１０６に規定される外側又は周辺スロット２１２４及び単一ブロック２１０３の表面２１０８に規定されるスロット２１２６に共通直線的に並ぶ関係で導波路フィルター２１００の中央に位置する各細長い、離間した、平行の内側又は内部スロット２１２９及び２１３１の組を規定して形成するように、単一ブロック２１０３のスロット２１２４と共通直線的に並んでおり；単一ブロック２１０１のステップ２１３６が単一ブロック２１０３のステップ２１３８に対して当接して、これと一線上に揃えられている関係で、一緒に結合され、固定されて、導波路フィルター２１００を規定する。
【０１４３】
このように、図５に示す関係では、単一ブロック２１０１の共振器２１１４，２１１６及び２１１８は、第一行に並べられ、単一ブロック２１０３の共振器２１２０，２１２２１１２２は、隣接する第二行に並べられ、各単一ブロック２１０１及び２１０３の各共振器２１１４及び２１２２は、隣接する横並びの列の関係で配置され、各単一ブロック２１０１及び２１０３の各共振器２１１６及び２１２１は、隣接する横並びの列の関係で配置され、各単一ブロック２１０１及び２１０３の各共振器２１１８及び２１２０は、隣接する横並びの列の関係で配置されている。
【０１４４】
導波路フィルター２１００はさらに、特定のインピーダンス及び位相を有し、各単一ブロック２１０１及び２１０３の各共振器２１１６及び２１２１の間に延びてこれらを相互接続して電気的に結合する、示される実施形態では、外部、代替クロス結合／間接結合ＲＦ信号伝送電極又はブリッジ部材又はライン２５００の形態の（上記したＲＦ信号伝送手段１５００と同一であり、ここに参照により組み込まれる）第一の代替又は間接又はクロス結合ＲＦ信号伝送手段を有する。
【０１４５】
図示の実施形態では、外部クロス結合伝送ライン２５００は、各単一ブロック２１０１及び２１０３の各上面２１０２に載置されてこれらをブリッジする概略長方形状の印刷回路基板２５０２を含み、当該印刷回路基板２５０２により規定される。外部クロス結合伝送電極２５００はさらに、各単一ブロック２１０１及び２１０３の各共振器２１１６及び２１２１をブリッジし、これらの上に延びる印刷回路基板２５０２の上面上に規定されて形成された細長い導電材料のストリップ２５０４を有する。
【０１４６】
さらに、図５には示されていないが、印刷回路基板２５０２が、印刷回路基板２５０２の本体を通って延び、共振器２１１６及び２１２１を電気的に結合させるために、各単一ブロック２１０１及び２１０３の各共振器２１１６及び２１２１の各上面２１０２から外方に延びて導電材料の細長いストリップ２５０４の対向端部に接触する各導電ポスト２５１０及び２５１２を受容するように適合された各内部スルーホールを含み、規定することが理解される。
【０１４７】
導波路フィルター２１００は、各単一ブロック２１０１及び２１０３の各共振器２１１８及び２１２０を直接相互接続して結合させ、これらの間の直接ＲＦ信号伝送経路を規定するための直接結合ＲＦ信号伝送手段２６００（上記したＲＦ信号伝送手段６００及び１０００と同様であり、ここに参照により組み込まれる）をさらに有する。
【０１４８】
図５，６の実施形態では、直接結合ＲＦ信号伝送手段２６００は、共振器２１１８及び２１２０の領域でこれらの間で各単一ブロック２１０１及び２１０３の各外側面２１０６及び２１０８に規定された、共振器２１１８から共振器２１２０へのＲＦ信号の伝送のための内側又は内部経路又は窓を規定するように相互に当接する誘電体材料の各ＲＦ信号内側又は内部伝送窓又は孔２６２２（すなわち、導電材料の無い領域）を有する。
【０１４９】
導波路フィルター２１００は、各単一ブロック２１０１及び２１０３の各共振器２１１４及び２１２２を相互接続するための第二の代替、クロス結合／間接結合ＲＦ信号伝送手段２７００（上記したＲＦ信号伝送手段１７００と構造的に同一であり、参照によりここに組み込まれる）をさらに有する。
【０１５０】
図５及び６の実施形態では、間接又クロス結合ＲＦ信号伝送手段２７００は、各共振器２１１４及び２１１２の領域でかつこれらの間で、より詳細には、各ステップ２１３６及び２１３８の垂直端壁２１４２と、各共振器２１１４及び２１１６及び共振器２１２２及び２１２１の間に位置する各第一対のスロット２１２４及び２１２６の間に位置する各外面２１０６及び２１０８の領域で各単一ブロック２１０１及び２１０３の各外側面２１０６及び２１０８に規定された導電材料の無い（すなわち誘電体材料の領域）各内側又は内部ＲＦ信号伝送窓又は領域又は孔２７２２を有する。各窓２７２２は、相互に当接して、共振器２１１４から共振器２１２２へのＲＦ信号の伝送のための内側又は内部間接又はクロス結合ＲＦ信号伝送手段及び内側又は内部間接又はクロス結合経路を規定する。
【０１５１】
このように、図５，６に示す、組み立てられた又は完成した導波路フィルター２１００は、中央縦軸Ｌ２を規定する誘電体材料のブロック２１０５と、縦軸Ｌ２と同方向に延びる一対の対向する離間した上下水平外面２１０２及び２１０４と、縦軸Ｌ２と同方向に延びる一対の対向する離間した垂直外面２１０６及び２１０８と、縦軸Ｌ２を横切る方向に延びる一対の対向する離間した垂直外端面２１１０及び２１１２を有する。
【０１５２】
完成した導波路フィルター２１００はさらに、縦端面２１０４を接合する領域で誘電体材料のブロック２１０５に規定され、側面２１０６と側面２１０８の間でブロック２１０５の縦軸Ｌ２に垂直の方向に延びる細長い端部ステップ又はノッチ２１３７を有する。ステップ２１３７は、導波路フィルター２１００の外面２１０２から離間してこれと概略平行の水平面２１４０と、ブロック端部垂直面２１１０から離間してこれと概略平行の垂直端壁２１４２を有する。
【０１５３】
図示の実施形態では、ステップ２１３７は、縦軸Ｌ２の下に位置する単一ブロック２１０３のステップ２１３８と、縦軸Ｌ２の上に位置し、ステップ２１３８よりも短い単一ブロック２１０１のステップ２１３６の組み合わせを含み、これらにより規定される。
【０１５４】
導波路フィルター２１００はさらに、それについての上記説明が参照によりここに組み込まれ、縦軸Ｌ２に概略垂直の関係及び方向でブロック２１０５の本体及び誘電体材料を通って延びる各ＲＦ信号入／出力スルーホール２１４６により部分的に規定されるＲＦ信号入／出力を有する。図６に示すように、スルーホール２１４６の一つは、ステップ２１３７の縦軸Ｌ２の上方に位置し、端面２１０４から離間した領域に位置して規定され、一方、スルーホール２１４６の他方は、ステップ２１３７の縦軸Ｌ２の下方に位置し、端面２１０４から離間し、スルーホール２１４６の一つと共通直線の領域に位置して規定される。
【０１５５】
導波路フィルター２１００はさらに、その説明がここに参照により組み込まれ、ステップ２１３７の表面２１４０に離間した共通直線の関係で、縦軸Ｌ２に垂直の関係で載置されてそれぞれＲＦ信号入／出力スルーホール２１４６と結合する一対のＳＭＡＲＦ信号入／出力同軸コネクタ１４００及び１４０１を有する。
【０１５６】
図示の実施形態では、コネクタ２４００は、縦軸Ｌ２の上に位置するステップ２１３７の部分に載置され、コネクタ２４０１は、縦軸Ｌ２の下に位置するステップ２１３７の部分に載置されている。
【０１５７】
導波路フィルター２１００はさらに、ブロック２１０５の縦軸Ｌ２及び側面２１０６の両方に概略垂直の関係でブロック２１０５の本体及び誘電体材料にブロック２１０５の側面２１０６から延びる３つの離間した概略平行の細長いスロット２１２４と、ブロック２１０５の縦軸Ｌ２及び側面２１０８の両方に概略垂直の関係で、さらに、各スロット２１２４と共通直線で、ブロック２１０５の本体及び誘電体材料にブロック２１０５の側面２１０８から延びる３つの離間した概略平行の細長いスロット２１２６を有し、規定し、これにより、３対の対向する共通直線のスロット２１２４及び２１２６を規定する。スロット２１２４及び２１２６は、導波路フィルター２１００のブロックの上下外面２１０２及び２１０４と各側面２１０６及び２１０８の間でこれらを通って延びる。
【０１５８】
図示の実施形態では、共通直線で対向するスロット２１２４及び２１２６の組の一つは、ステップ２１３７の垂直端壁２１４２から離間してこれと平行の関係でステップ２１３７に位置して規定される。
【０１５９】
導波路フィルター２１００は、さらに、ブロック２１０５の本体及び誘電体材料を通って延び、導波路フィルター２１００のブロック２１０５の上下外面２１０２及び２１０４の概略楕円形状の開口で終端する３つの概略楕円形状で中心に位置する細長い離間した平行で内側のスロット２１２５，２１２９及び２１３１を有して規定する。
【０１６０】
スロット２１２９は、スロット２１２４及び２１２６の対の１つと共通直線でこれらから離間した関係で導波路フィルター２１００のブロック２１０５に位置し、スロット２１３１は、スロット２１２９から離間してこれと概略平行で、スロット２１２４及び２１２６の他の対と共通直線でこれと離間した関係で導波路フィルター２１００のブロック２１０５に位置する。スロット２１２５は、ステップ２１３７に規定された一対のスロット２１２４及び２１２６と共通直線でこれから離間した関係で導波路フィルター２１００のブロック２１０５のステップ２１３７に位置する。
【０１６１】
さらに、スロット２１２５，２１２９及び２１３１は、導波路フィルター２１００のブロック２１０５の縦軸Ｌ２と概略垂直で交差する関係で導波路フィルター２１００のブロック２１０５に位置する。
【０１６２】
このように、図５，６の実施形態では、ＲＦ信号入／出力スルーホール２１４６及びこれに結合した各コネクタ２４００及び２４０１は、ステップ２１３７に規定されたスロット２１２４，２１２５及び２１２６及びステップ２１３７の縦内壁２１４２の間に位置するステップ２１３７の領域に位置する。
【０１６３】
図５及び６の実施形態では、すべての外面２１０２，２１０４，２１０６，２１０８，２１１０及び２１１２、各スロット２１２４，２１２６，２１２５，２１２９及び２１３１の内面及び各ＲＦ信号入／出力スルーホール２１４６の内面は、各ＲＦ入／出力スルーホール２１４６によりステップ面２１４０に規定される開口を囲む図１の領域１５１と類似の領域（不図示）を例外として、導電材料の層により覆われている。
【０１６４】
さらに、図５及び６の実施形態では、導電材料の中央内部垂直層又は壁２１０９は、より詳細に上記したように、導電材料の無い、誘電体材料の内側又は内部窓２６２２及び２７２２を例外として、導波路フィルター２１００のブロック２１０５の縦軸Ｌ２と共通直線で共通平面の関係で、導波路フィルター２１００のブロックの本体の全長及び全高さを通して延びる。
【０１６５】
誘電体材料のブロック２１０５、スロット２１２４，２１２６，２１２５，２１２９及び２１３１及び更なる詳細を上記したようにこれらを覆う導電材料の組み合わせは、図５及び６に記載されるように導波路フィルター２１００の２つの列のＲＦ信号共振器２１１４，２１１６，２１１８，２１２０，２１２１及び２１２２及び誘電体材料の接続ＲＦ信号ブリッジ２１２８，２１３０，２１３２及び２１３４を規定して作り出し、共振器２１４４及び２１２２、共振器２１１６及び２１２１、及び、共振器２１１８及び２１２０は、横並びの関係で配置され、内側又は内部窓２６２２及び２７２２を有する領域を除く誘電体材料の中央内部層又は壁２１０９により相互に電気的に分離されている。
【０１６６】
導波路フィルター２１００は、導波路フィルター１１００に関して上記したのと同様に同じ直接ＲＦ信号経路ｄ及び間接クロス結合ＲＦ信号経路ｃを規定して生成し、従って、これについての導波路フィルター１１００に関する上記説明は、導波路フィルター２１００に関して参照によりここに組み込まれる。
【０１６７】
本発明によれば、上記した導波路フィルター１００と同様に（したがって参照によりここに組み込まれる）、導波路フィルター２１００は、コネクタ２４００がＲＦ信号入力コネクタを規定する本実施形態では、コネクタ２４００；ステップ２１３７、より詳細には、単一ブロック２１０１の端部共振器２１１４のステップ２１３６のＲＦ信号伝送入力スルーホール２１４６；ブロック２１０５のステップ２１３７、より詳細には、単一ブロック２１０１のステップ２１３６；ブロック２１０５の共振器２１１４、より詳細には、単一ブロック２１０１の共振器２１１４；ブロック２１０５の共振器２１１６，より詳細には、ＲＦ信号ブリッジ２１２８を介して、そして、これを通って単一ブロック２１０１の共振器２１１６；及び、ブロック２１０５の共振器２１１８、より詳細には、ＲＦ信号ブリッジ２１３０を介して、そして、これを通って単一ブロック２１０１の共振器２１１８を連続して通る図５に矢印ｄで概略示されるＲＦ信号のための第一の概略Ｕ形状の磁気又は誘導直接結合ＲＦ信号伝送経路を規定する。
【０１６８】
その後、ＲＦ信号は、ブロック２１０５の共振器２１２０へ、より詳細には、上記したように（ここに参照により組み込まれる）、共振器２１１８及び２１２０の間の領域のブロック２１０５の内部に誘電体材料の内部ＲＦ信号伝送窓２６２２により規定されるブロック２１０５の内部に規定されるＲＦ信号伝送手段２６００を介して共振器２１２０へ；ブロック２１０５の共振器２１２１へ、より詳細には、ＲＦ信号ブリッジ２１３２を介してして、そして、これを通って単一ブロック２１０３の共振器２１２１へ；ブロック２１０５の共振器２１２２へ、より詳細には、ＲＦ信号ブリッジ２１３４を介して、そして、これを通って単一ブロック２１０３の共振器２１２２へ；ステップ２１３７にも位置する、より詳細には、単一ブロック２１０３の端部共振器２１２２に規定されたステップ２１３８に位置するＲＦ信号伝送出力スルーホール２１４６へ：ステップ２１３７へ、より詳細には、単一ブロック２１０３の共振器２１２１の端部のステップ２１３８へ伝送され、そして、ステップ２１３７に載置された、より詳細には、単一ブロック２１０３のステップ２１３８に載置されたＲＦ信号出力コネクタ１４０１から出るように伝送される。
【０１６９】
本発明のこの実施形態では、導波路フィルター２１００は、図３の矢印ｃで概略示される一対のＲＦ信号のための代替又は間接又はクロス結合ＲＦ信号伝送経路も規定し、提供する。
【０１７０】
クロス結合又は間接電場／容量ＲＦ信号伝送経路ｃの一つは、上記のように、そして、参照によりここに組み込まれるように、共振器２１１６及び２１２１の間に延びる外部ＲＦ信号伝送ライン２５００により規定され、生成され、外部ＲＦ信号伝送ライン２５００は、ブロック２１０５の共振器２１１６、より詳細には、単一ブロック２１０１の共振器２１１６を通って伝送される直接ＲＦ信号の小さい部分の伝送がブロック２１０５の共振器２１２１、より詳細には、単一ブロック２１０３の共振器２１２１に、ブロック２１０５、より詳細には、各単一ブロック２１０１及び２１０３の各共振器２１１６及び２１２１をブリッジし、電気的に相互接続する導電材料の外部ストリップ２５０４を介して伝送されることを可能にする。
【０１７１】
他のクロス結合又は間接磁気／誘導ＲＦ信号伝送経路ｃは、上記のように、そして、参照によりここに組み込まれるように、内部ＲＦ信号伝送手段２７００により規定され、生成され、内部ＲＦ信号伝送手段２７００は、ブロック２１０５の共振器２１１４、より詳細には、単一ブロック２１０１の共振器２１１４を通って伝送される直接ＲＦ信号の小さい部分が、ブロック２１０５の共振器２１２２，より詳細には、単一ブロック２１０３の共振器２１２２に、共振器２１１４及び２１２２の間で、共振器２１１４及び２１２２の領域のブロック２１０５の内側に規定される内部又は内側ＲＦ信号伝送窓２７２２を通って、及び、これを介して直接伝送されることを可能にする。
【０１７２】
本発明に従えば、上記したＲＦ信号のクロス結合が、各第一及び第二の対の伝送ゼロを好適に生成し、図５に示す導波路フィルター２１００の性能／周波数応答のグラフである、縦軸に沿って（ｄＢで測られる）減衰が示され、横軸に沿って（ＭＨｚで測られる）周波数が示される図１３に示すように、その第一の対は、導波路フィルター２１００の通過帯域の下に位置し、その第二の対は、導波路フィルター２１００の通過帯域の上に位置する。
【０１７３】
さらに本発明に従えば、内部ＲＦ信号伝送窓２６２２は、各共振器２１１６及び２１２１の間に延びてこれらを相互接続する外部ＲＦ伝送ライン２５００により生成され、規定される間接又はクロス容量結合よりも強い誘導直接ＲＦ信号結合を生成するように設計され／大きいさが決められており、当該外部ＲＦ伝送ライン２５００は、各共振器２１１４及び２１１２の間でこれらを相互接続する内部ＲＦ伝送窓２７２２により生成され、規定される間接、クロス結合よりも強い間接クロス結合を生成するように設計され／大きいさが決められている。
【０１７４】
しかし、導波路フィルター１１００について上及び前に記したような第一及び第二クロス結合経路の使用を通しての第一及び第二の対の伝送ゼロの生成に加え、導波路フィルター２１００は、ステップ２１３７、より詳細には、スロットを有する上記のように構成された長さの異なるステップ２１３６及び２１３８の使用を通しての、導波路フィルター２１００の通過帯域の上下の伝送ゼロの対だけでなく、導波路フィルター２１００の通過帯域の上下の追加のシャントゼロも示す図１３に示されるような第一の対のシャントゼロも生成することによる更なる減衰特性の改善を提供する。
【０１７５】
第四実施形態
図７及び８は、各単一ブロック３１０１及び３１０３の各ステップ３１３６及び３１３８が導波路フィルター１１００の外部コネクタ１４００及び１４０１の代わりに各直接表面実装ＲＦ信号入／出力パッド３８００及び３８０２を有し、さらに、以下に詳説するように、異なる構造のクロス結合ＲＦ信号伝送手段又は部材３５００を有することを除いて、導波路フィルター１１００と構造及び機能が類似であり、したがって、導波路フィルター１１００に関する上記説明が参照によりここに組み込まれる、導波路フィルター３１００を示す。
【０１７６】
特に、図示の実施形態では、導波路フィルター３１００は、以下にさらに詳説されるように、相互に結合され、固定されることで導波路フィルター３１００を形成する一対の別個の概略平行六面体形状の単一ブロック３１０１及び３１０３から形成される。
【０１７７】
各単一ブロック３１０１及び３１０３は、例えば、セラミックスなどの適切な誘電体材料からなり、縦軸Ｌ１と、縦軸Ｌ１と同方向に縦に延びる対向して離間した縦水平外面３１０２及び３１０４と、縦軸Ｌ１と同方向に縦に延びる対向して離間した縦側垂直外面３１０６及び３１０８と、各単一ブロック３１０１及び３１０３の縦軸Ｌ１と概略垂直同方向に延びる対向して離間した横側垂直外面３１１０及び３１１２を含む。
【０１７８】
各単一ブロック３１０１及び３１０３は、それぞれ行の関係で配列され、各単一ブロック３１０１及び３１０３の長さ及び縦軸Ｌ１に沿って縦に離間し、各単一ブロック３１０１及び３１０３の表面３１０２，３１０４，３１０６及び３１０８に切れ込んだ複数の（より詳細には図７の実施形態では２つの）離間した垂直スリット又はスロット３１２４及び３１２６により相互に分離された各複数の共振器セクション（キャビティ又はセル又は共振器とも称される）３１１４，３１１６及び３１１８及び３１２０，３１３１及び３１２２を含む。
【０１７９】
２つのスロット３１２４は、離間して平行の関係で、そして、縦軸Ｌ１に概略垂直の関係で、各単一ブロック３１０１及び３１０３の側面３１０６の長さに沿って延びる。各スロット３１２４は、側面３１０６及び対向する水平面３１０２及び３１０４を通して、そして、各単一ブロック３１０１及び３１０３の本体及び誘電体材料を部分的に通して切れ込んでいる。
【０１８０】
２つのスロット３１２６は、離間して平行の関係で、縦軸Ｌ１に概略垂直の関係で、そして、側面３１０６に規定される各スロット３１２４と対向して、共通直線で、共通平面の関係で各単一ブロック３１０１及び３１０３の対向する側面３１０８の長さに沿って延びる。各スロット３１２６は、側面３１０８及び対向する水平面３１０２及び３１０４を通して、そして、各単一ブロック３１０１及び３１０３の本体及び誘電体材料を部分的に通して切れ込んでいる。
【０１８１】
これらの対向して離間した共通直線で共通平面の関係によって、スロット３１２４及び３１２６の各対は、一緒になって、複数の（より詳細には、２つの）概略中央に位置するＲＦ信号ブリッジ３１２８及び３１３０とＲＦ信号ブリッジ３１３２及び３１３４を各単一ブロック３１０１及び３１０３に規定し、これらは、それぞれ、各単一ブロック３１０１及び３１０３の縦軸Ｌ１に概略垂直で交差し、各共振器３１１４，３１１６及び３１１８と共振器３１２０，３１２１及び３１２２を相互接続する関係で単一ブロック３１０１及び３１０３の表面３１０２及び３１０４の間に延びる誘電体材料のブリッジ又はアイランドからなる。
【０１８２】
特に、ブリッジ３１２８は、共振器３１１４の誘電体材料を共振器３１１６の誘電体材料にブリッジし、相互接続し、一方、誘電体材料のブリッジ３１３０は、共振器３１１６の誘電体材料を共振器３１１８の誘電体材料に相互接続する。同様に、単一ブロック３１０３の誘電体材料のブリッジ３１３２は、共振器３１２０の誘電体材料を共振器３１２１の誘電体材料に相互接続し、一方、誘電体材料のブリッジ３１３４は、共振器３１２１の誘電体材料を共振器１２２の誘電体材料にブリッジし、相互接続する。
【０１８３】
図示の実施形態では、各ＲＦ信号ブリッジ３１２８，３１３０，３１３２及び３１３４の幅は、対向するスロット３１２４及び３１２６の間の距離に依存し、図示の実施形態では、各単一ブロック３１０１及び３１０３の幅の約１／３である。
【０１８４】
単一ブロック３１０１及び３１０３は、さらに、導波路フィルター１００の各ステップ又はノッチ１３６及び１３８及び導波路フィルター１１００の各ステップ又はノッチ１１３６及び１１３８と同じ構造及び機能の各端部ステップ又はノッチ３１３６及び３１３８を有して規定し、したがって、ノッチ１３６及び１３８及びステップ１１３６及び１１３８の特徴及び構造の前記した説明は、ステップ３１３６及び３１３８について参照によりここに組み込まれる。
【０１８５】
このように、図示の実施形態では、端部ステップ又はノッチ３１３６及び３１３８は、縦表面３１０４の概略Ｌ形状の凹んだ又は溝付けされた又は肩付けされた又は切れ込んだ領域又はセクションと、対向する側面３１０６及び３１０８と、単一ブロック３１０１の対向する側端面３１１０及び３１１２、より詳細には、その各端部共振器３１１４及び３１２３を有し、端部共振器３１１４及び３１２３から誘電体材料が除去されており、又は、誘電体材料が存在しない。ステップ３１３６及び３１３８は、各単一ブロック３１０１及び３１０３の縦軸Ｌ１に垂直で交差する方向に延びる。
【０１８６】
各単一ブロック３１０１及び３１０３はさらに、図８に示すように、スルーホール３１４６の形態の電気ＲＦ信号入／出力電極を有し、電気ＲＦ信号入／出力電極は、各単一ブロック３１０１及び３１０３、より詳細には、そのステップ３１３６及び３１３８、さらにより詳細には、単一ブロック３１０１及び３１０３に規定される各共振器３１１４及び３１２２を通って、各ステップ３１３６及び３１３８の表面３１４０及び各単一ブロック３１０１及び３１０３の表面３１０４の間でこれらに垂直の関係で延びる。
【０１８７】
さらに詳細には、各入／出力スルーホール３１４６は、各単一ブロック３１０１及び３１０３の各横側端面３１１０から離間して、概略これに平行であり、ステップ表面３１４０及び単一ブロック表面３１０２のそれぞれに位置し、これらで終端する各概略円形開口（不図示）を規定する。
【０１８８】
ＲＦ信号入／出力スルーホール３１４６は、側端部３１１０とステップ壁又は表面３１４２の間で、これらから離間してこれらと平行の関係で、縦軸Ｌ１及び各ステップ３１３６及び３１３８に概略垂直で共通直線の方向に、各単一ブロック３１０１及び３１０３の内部及び誘電体材料に位置して配置され、当該内部及び誘電体材料を通って延びる。
【０１８９】
前記の実施形態の外部コネクタに代えて、導波路フィルター３１００は、各単一ブロック３１０１及び３１０３の底面３１０４に規定された各直接表面実装ＲＦ信号入／出力パッド３８００及び３８０２を有する。
【０１９０】
単一ブロック３１０１及び３１０３が部分的に破線で示された図７，８に示すように、各ＲＦ信号入／出力パッド３８００及び３８０２は、底面３１０４に位置し、各単一ブロック３１０１及び３１０３の底面３１０４に各スルーホール３１４６により規定される開口に結合した一端を有し、ブロック表面３１０４及び３１１０を結合する角を包み込んで、誘電体材料の領域３８０４により取り囲まれた導電材料のストリップ３８０３を有する。
【０１９１】
本実施形態に従えば、図示されていないが、ＲＦ信号入／出力パッド３８００及び３８０２により、ＲＦ信号入／出力パッド３８００及び３８０２が顧客のマザーボードの各ＲＦ信号入／出力パッドと結合する関係で、顧客のマザーボードの表面に搭載することが可能になることが理解される。
【０１９２】
単一ブロック３１０１及び３１０３のすべての外表面３１０２，３１０４，３１０６，３１０８，３１１０及び３１１２、スロット３１２４及び３１２６の内部表面及び入／出力スルーホール３１４６の内部表面は、上記及び以下に説明する領域を例外として、例えば、銀などの適切な導電材料により覆われている。
【０１９３】
図７に示すように、別々の単一ブロック３１０１及び３１０３は、以下により詳細に説明するように、導波路フィルター３１００を規定し、形成するように、相互に結合され、固定されており、複数の共振器３１１４，３１１６，３１１８，３１２０，３１２１及び３１２２は、１以上の行列に配置され、より詳細には、図示の実施形態では、複数の共振器は、２行３列に配列されている。
【０１９４】
特に、図７に示すように、単一ブロック３１０１及び３１０３は、単一ブロック３１０１の垂直側面３１０８が単一ブロック３１０３の垂直側面３１０６に隣接してこれに固定され；単一ブロック３１０１のスロット３１２６が、単一ブロック３１０１及び３１０３の縦軸Ｌ１に概略垂直の関係で、また、単一ブロック３１０１の表面３１０６に規定されるスロット３１２４及び単一ブロック３１０３の表面３１０８に規定されるスロット３１２６に共通直線に並ぶ関係で導波路フィルター３１００の中央に位置する一対の細長い、離間した、平行の内側又は内部スロット３１２９及び３１２１を規定して形成するように、単一ブロック３１０３のスロット３１２４と共通直線的に並んでおり；単一ブロック３１０１のステップ３１３６が単一ブロック３１０３のステップ３１３８に対して隣接して、これと一線上に揃えられている関係で、一緒に結合され、固定されて、導波路フィルター３１００を規定する。
【０１９５】
このように、図７に示す関係では、単一ブロック３１０１の共振器３１１４，３１１６及び３１１８は、第一行に並べられ、単一ブロック３１０３の共振器３１２０，３１２１，３１２２は、隣接する第二行に並べられ、各単一ブロック３１０１及び３１０３の各共振器３１１４及び３１２２は、隣接する横並びの列の関係で配置され、各単一ブロック３１０１及び３１０３の各共振器３１１６及び３１２１は、隣接する横並びの列の関係で配置され、導波路フィルター３１００を規定する各単一ブロック３１０１及び３１０３の各共振器３１１８及び３１２０は、隣接する横並びの列の関係で配置されている。
【０１９６】
導波路フィルター３１００はさらに、特定のインピーダンス及び位相を有し、各単一ブロック３１０１及び３１０３の各共振器３１１６及び３１２１の間に延びてこれらを相互接続して電気的に結合する、第一の間接クロス結合，バイパス又は代替外部ＲＦ信号伝送電極又はブリッジ部材又はライン３５００を有する。
【０１９７】
外部ＲＦ信号伝送ライン３５００は、各単一ブロック３１０１及び３１０３の上面３１０２に規定されて形成され、単一ブロック３１０１及び３１０３の上面３１０２の誘電体材料の各領域３５０２により囲まれた導電材料の各ストリップ３５０４を有する。
【０１９８】
単一ブロック３１０１及び３１０３が上記のように一緒に結合されて固定されたときに、各ストリップ３５０４は、単一ブロック３１０１の共振器３１１６から単一ブロック３１０３の共振器３１２１へのＲＦ信号の小さい部分の直接の外部伝送を可能にするように隣接する関係になる。
【０１９９】
導波路フィルター３１００は、さらに、ＲＦ信号伝送手段６００，１６００，２６００と構造及び動作が同一の（それについての上記説明がここに参照により組み込まれる）、各単一ブロック３１０１及び３１０３の各共振器３１１８及び３１２０の間に延びてこれらを相互接続して結合する直接ＲＦ信号伝送手段３６００を有する。
【０２００】
特に、ＲＦ信号伝送手段３６００は、各単一ブロック３１０１及び３１０３の各外側面３１０６及び３１０８に規定された、共振器３１１８から共振器３１２０へのＲＦ信号の伝送のための内側又は内部経路又は窓を規定するように相互に当接する導電材料の無い各内側又は内部ＲＦ信号伝送窓又は領域又は孔３６２２（すなわち、誘電体材料の領域）を有する。
【０２０１】
導波路フィルター３１００は、各単一ブロック３１０１及び３１０３の各共振器３１１４及び３１２２の間に延びてこれらを相互接続するための第二のクロス結合／間接結合−代替ＲＦ信号伝送手段３７００（上記したＲＦ信号伝送手段１７００及び２７００と構造及び動作が同一であり、参照によりここに組み込まれる）をさらに有する。
【０２０２】
特に、ＲＦ信号伝送手段３７００は、各単一ブロック３１０１及び３１０３の各外側面３１０６及び３１０８に規定され、共振器３１４４から共振器３１２２へのＲＦ信号の内側又は内部伝送のための代替又は間接内側又は内部経路を規定するように相互に当接した各内部又は内側ＲＦ信号伝送窓又は領域３７２２を有する。
【０２０３】
このように、図７に示す、組み立てられた又は完成した導波路フィルター３１００は、中央縦軸Ｌ２を規定する誘電体材料のブロック３１０５と、縦軸Ｌ２と同方向に延びる一対の対向する離間した上下水平外面３１０２及び３１０４と、縦軸Ｌ２と同方向に延びる一対の対向する離間した垂直外面３１０６及び３１０８と、縦軸Ｌ２を横切る方向に延びる一対の対向する離間した垂直外端面３１１０及び３１１２を有する。
【０２０４】
導波路フィルター３１００はさらに、誘電体材料のブロック３１０５に規定された、より詳細には、単一ブロック３１０１及び３１０３の各端部共振器３１１４及び３１２２に位置する各ステップ３１３６及び３１３８の組み合わせにより規定される細長い端部ステップ又はノッチ３１３７を有し、これに関する上記説明は、ステップ３１３７に関して参照によりここに組み込まれる。ステップ３１３７は、横端面３１０４を接合するブロック３１０５の領域に形成され、ブロック３１０５の縦軸Ｌ２に垂直で交差する方向に延びる。ステップ３１０５は、導波路フィルター３１００のブロック３１０５の外面３１０２から離間してこれと概略平行の水平面３１４０及びブロックの上面３１０２とステップ３１３７の水平面３１４０の間に延びる縦壁３１４２を有する。
【０２０５】
導波路フィルター３１００はさらに、上記したように（上記説明が参照によりここに組み込まれる）、縦軸Ｌ２に概略垂直でこれから離間した関係及び方向でブロック３１０５の本体及び誘電体材料を通って延び、これに規定された各ＲＦ信号入／出力スルーホール３１４６により部分的に規定されるＲＦ信号入／出力を有する。図７に示すように、スルーホール３１４６の一つは、ステップ３１３７に、より詳細には、単一ブロック３１０１のステップ３１３６の縦軸Ｌ２の上方で端面３１０４から離間して位置する領域に位置して規定され、一方、スルーホール３１４６の他方は、ステップ３１３７に、より詳細には、単一ブロック３１０３のステップ３１３８の縦軸Ｌ２の下方に位置して、端面３１０４から離間して、スルーホール３１４６の一つと共通直線の領域に位置して規定される。
【０２０６】
導波路フィルター３１００はさらに、その説明がここに参照により組み込まれ、相互及び縦軸Ｌ２に対して離間した平行の関係でブロック３１０５の下面３１０４及びステップ３１３７の各共振器３１１４及び３１２２に規定され、ＲＦ信号入／出力スルーホール３１４６とそれぞれ結合する一対のＲＦ信号入／出力パッド３８０１及び３８０２を有する。
【０２０７】
導波路フィルター３１００はさらに、ブロック３１０５の縦軸Ｌ２及び側面３１０６の両方に概略垂直の関係でブロック３１０５の本体及び誘電体材料にブロック３１０５の側面３１０６から延びる一対の離間した概略平行の細長いスロット３１２４と、ブロック３１０５の縦軸Ｌ２及び側面３１０８の両方に概略垂直の関係で、さらに、各スロット３１２４と対向した共通直線の関係で、ブロック３１０５の本体及び誘電体材料にブロック３１０５の側面３１０８から延びる一対の離間した概略平行の細長いスロット３１２６を有し、規定する。スロット３１２４及び３１２６は、導波路フィルター３１００のブロック３１０５の上下外面３１０２及び３１０４と各側面３１０６及び３１０８の間でこれらを通って延びる。
【０２０８】
導波路フィルター３１００は、さらに、ブロック３１０５の本体及び誘電体材料を通って延び、導波路フィルター３１００の上下外面３１０２及び３１０４の各概略楕円形状の開口で終端する一対の概略楕円形状で中央に位置するスロット３１２９及び３１３１を有する。
【０２０９】
スロット３１２９は、共通直線のスロット３１２４及び３１２６の対の１つと共通直線で離間した関係で導波路フィルター３１００のブロック３１０５に位置し、スロット３１３１は、スロット３１２９から離間してこれと概略平行で、共通直線のスロット３１２４及び３１２６の対の他のものと共通直線でこれと離間した関係で導波路フィルター３１００のブロック３１０５に位置する。
【０２１０】
さらに、スロット３１２９及び３１３１は、導波路フィルター３１００のブロック３１０５の縦軸Ｌ２と概略垂直で交差する関係で導波路フィルター３１００のブロック３１０５に位置する。
【０２１１】
図示の実施形態では、ＲＦ信号伝送手段３５００は、上記したように、また、参照によりここに組み込まれるように、縦軸Ｌ２に垂直でこれと交差し、スロット３１２９及び３１３１から離間してこれらと平行の関係で２つのスロット３１２４及び３１３１の間に位置する。
【０２１２】
図７及び８の実施形態では、すべての外面３１０２，３１０４，３１０６，３１０８，３１１２、各スロット３１２４，３１２６，３１２９及び３１３１の内面及び各ＲＦ信号入／出力スルーホール３１４６の内面は、ＲＦ信号伝送手段３５００の導電材料のストリップ３５０４を囲む領域３５０２及び各ＲＦ信号入／出力パッド３８００及び３８０１の導電材料のストリップ３８０３を囲む領域３８０４を例外として、導電材料の層により覆われている。
【０２１３】
さらに、図７及び８の実施形態では、導電材料の中央内部層又は壁３１０９は、ブロック３１０５の内側の共振器３１１８及び３１２０及び共振器３１１４及び３１２２それぞれの間の領域に規定される、より詳細に上記したように、導電材料の無い誘電体材料の内側領域である内側又は内部窓３６２２及び３７２２を例外として、導波路フィルター３１００のブロック３１０５の縦軸Ｌ２と共通直線で共通平面の関係で、導波路フィルター３１００のブロックの本体の全長及び全高さを通して延びる。
【０２１４】
誘電体材料のブロック３１０５、スロット３１２４，３１２６，３１２９及び３１３１及び更なる詳細を上記したようにこれらを覆う導電材料の組み合わせは、図７及び８に記載されるように導波路フィルター３１００の２つの列のＲＦ信号共振器３１１４，３１１６，３１１８，３１２０，３１２１及び３１２２及び誘電体材料の接続ＲＦ信号ブリッジ３１２８，３１３０，３１３２及び３１３４を規定して作り出し、共振器３１４４及び３１２２、共振器３１１６及び３１２１、及び、共振器３１１８及び３１２０は、横並びの関係で配置され、さらなる詳細を以下に述べるように、各内側又は内部窓３６２２及び３７２２の領域を除く誘電体材料の中央内部層又は壁３１０９により相互に電気的に分離されている。
【０２１５】
導波路フィルター３１００は、導波路フィルター１１００及び２１００に関して上記したのと同様に同じ直接ＲＦ信号経路ｄ及び間接クロス結合又は代替ＲＦ信号経路ｃを規定して生成し、従って、これについての上記説明は、導波路フィルター３１００に関して参照によりここに組み込まれる。
【０２１６】
特に、本発明によれば、上記した導波路フィルター１１００と同様に（したがって参照によりここに組み込まれる）、導波路フィルター３１００は、ブロック３１０５のステップ３１３７、より詳細には、ＲＦ信号パッド３８００がＲＦ信号入力パッドを規定する本実施形態では、単一ブロック３１０１のステップ３１３６のＲＦ信号伝送入／出力パッド３８００；ステップ３１３７に位置する、より詳細には、単一ブロック３１０１の共振器３１１４に規定されるステップ３１３６に位置するＲＦ信号伝送入力スルーホール４１４６；ブロック３１０５のステップ３１３７、より詳細には、単一ブロック３１０１のステップ３１３６；ブロック３１０５の共振器３１１４、より詳細には、単一ブロック３１０１の共振器３１１４；ブロック３１０５の共振器３１１６，より詳細には、ＲＦ信号ブリッジ３１２８を介して、そして、これを通って単一ブロック３１０１の共振器３１１６；及び、ブロック３１０５の共振器３１１８、より詳細には、ＲＦ信号ブリッジ３１３０を介して、そして、これを通って単一ブロック３１０１の共振器３１１８を連続して通る図７に矢印ｄで概略示されるＲＦ信号のための第一の概略Ｕ形状の磁気又は誘導直接結合ＲＦ信号伝送経路を規定する。
【０２１７】
その後、ＲＦ信号は、ブロック３１０５の共振器３１２０へ、より詳細には、上記したように（ここに参照により組み込まれる）、導電材料の内側層又は壁３１０９により共振器３１１８及び３１２０の間の領域のブロック３１０５の内部に誘電体材料の内部ＲＦ信号伝送窓３６２２により規定されるＲＦ信号伝送手段３６００を介して単一ブロック３１０３の共振器３１２０へ；ブロック３１０５の共振器３１２１へ、より詳細には、ＲＦ信号ブリッジ３１３２を介してして、そして、これを通って単一ブロック３１０３の共振器３１２１へ；ブロック３１０５の共振器３１２２へ、より詳細には、ＲＦ信号ブリッジ３１３４を介して、そして、これを通って単一ブロック３１０３の共振器３１２２へ；ステップ３１３７に位置する、より詳細には、単一ブロック３１０３の端部共振器３１２２に規定されたステップ３１３８に位置する他のＲＦ信号伝送出力スルーホール３１４６へ：ステップ３１３７へ、より詳細には、単一ブロック３１０３の共振器３１２１の端部のステップ３１３８へ伝送され、そして、ステップ３１３７に位置する、より詳細には、単一ブロック３１０３のステップ３１３８に位置するＲＦ信号出力パッド３８０１から出るように伝送される。
【０２１８】
本発明のこの実施形態によれば、導波路フィルター３１００は、図３の矢印ｃで概略示される一対のＲＦ信号のための代替又は間接又はクロス結合ＲＦ信号伝送経路も規定し、提供する。
【０２１９】
クロス結合又は間接電場／容量ＲＦ信号伝送経路ｃの一つは、上記のように、そして、参照によりここに組み込まれるように、共振器３１１６及び３１２１の間に延びる外部ＲＦ信号伝送ライン３５００により規定され、生成され、外部ＲＦ信号伝送ライン３５００は、ブロック３１０５の共振器３１１６、より詳細には、単一ブロック３１０１の共振器３１１６を通って伝送される直接ＲＦ信号の小さい部分の伝送がブロック３１０５の共振器３１２１、より詳細には、単一ブロック３１０３の共振器３１２１に、ブロック３１０５、より詳細には、各単一ブロック３１０１及び３１０３の各共振器３１１６及び３１２１をブリッジし、電気的に相互接続する導電材料の外部ストリップ３５０４を介して伝送されることを可能にする。
【０２２０】
他のクロス結合又は間接磁気／誘導ＲＦ信号伝送経路ｃは、上記のように、そして、参照によりここに組み込まれるように、内部又は内側ＲＦ信号伝送手段３７００により規定され、生成され、内部ＲＦ信号伝送手段３７００は、ブロック３１０５の共振器３１１４、より詳細には、単一ブロック３１０１の共振器３１１４を通って伝送される直接ＲＦ信号の小さい部分の伝送が、ブロック３１０５の共振器３１２２，より詳細には、単一ブロック３１０３の共振器３１２２に、共振器３１１４及び３１２２の間で、共振器３１１４及び３１２２の領域のブロック３１０５の内部に規定される内部又は内側ＲＦ信号伝送窓３７２２を通って、及び、これを介して直接伝送されることを可能にする。
【０２２１】
本発明に従えば、導波路フィルター１１００に関して上記したのと同様に、上記したＲＦ信号のクロス結合が、各第一及び第二の対の伝送ゼロを好適に生成し、図７に示す導波路フィルター３１００の性能／周波数応答も示す図１２に示すように、その第一の対は、導波路フィルター３１００の通過帯域の下に位置し、その第二の対は、導波路フィルター３１００の通過帯域の上に位置することが理解される。
【０２２２】
さらに本発明の実施形態に従えば、導波路フィルター１１００と同様に、内部ＲＦ信号伝送窓３６２２は、各共振器３１１６及び３１２１の間に延びてこれらを相互接続する外部ＲＦ伝送ライン３５００により生成され、規定される間接又はクロス容量結合よりも強い誘導直接ＲＦ信号結合を生成するように設計され／大きいさが決められており、外部ＲＦ伝送ライン３５００は、各共振器３１１４及び３１１２の間でこれらを相互接続する内部ＲＦ伝送窓３７２２により生成され、規定される間接、クロス結合よりも強い間接クロス結合を生成するように設計され／大きいさが決められている。
【０２２３】
唯一の相違は、導波路フィルター３１００では、ＲＦ信号は、顧客のマザーボードからブロック３１０５に外部コネクタではなく、ＲＦ信号入／出力パッド３８００を介して入出され、ブロック３８０５のＲＦ信号入／出力パッド３８０１を介して顧客のマザーボードに出力されることである。
【０２２４】
第五実施形態
各導波路フィルター１００，１１００，２１００及び３１００は、一緒に結合されて固定される２つの分離した単一ブロックを含むものとして図１−８に示されたことが理解される。しかし、例えば、図３に示す２ブロックの導波路フィルター１１００の実施形態と同様の性能及び動作特性及び利点を有する図９及び１０に示し、以下に詳説される単一の一体の導波路フィルター４１００の実施形態などに示される単一一体ブロック実施形態をも本発明は包含することが理解される。
【０２２５】
特に、図９及び１０に示す導波路フィルター４１００は、例えば、セラミックスなどの適切な誘電体材料からなり、縦軸Ｌ１と、縦軸Ｌ１と同方向に縦に延びる対向して離間した縦水平外面４１０２及び４１０４と、縦軸Ｌ１と同方向に縦に延びる対向して離間した縦垂直側外面４１０６及び４１０８と、各単一ブロック４１０５の縦軸Ｌ１と概略垂直同方向に延びる対向して離間した横垂直側外面４１１０及び４１１２を規定する。
【０２２６】
単一ブロック４１０５は、以下により詳説するように、そして、共振器４１１４，４１１６及び４１１８が第一の行に配列され、共振器４１２０，４１４１及び４１２２が第二の行に配列され、共振器４１１４及び４１２２は、隣接する第一列に横並びに配置され、共振器４１１６及び４１２１は、第二列に横並びに配置され、共振器４１１８及び４１２０は、第三列に横並びに配置される関係で配置された、単一ブロック４１０１上で単一ブロック４１０１に切れ込んだ各スリット又はスロットにより規定される複数の共振器セクション（キャビティ又はセル又は共振器とも称される）４１１４，４１１６及び４１１８及び４１２０，４１４１及び４１２２を含む。
【０２２７】
図示の実施形態では、２つの内部周縁スロット４１２４は、離間して平行の関係で単一ブロック４１０５の側面４１０６の長さに沿って延びる。各スロット４１２４は、単一ブロック４１０５の縦軸に概略垂直の関係で、側面４１０６及び対向する水平面４１０２及び４１０４を通して、そして、単一ブロック４１０５の本体及び誘電体材料を部分的に通して切れ込んでいる。
【０２２８】
２つの内部周縁スロット４１２６は、離間して平行の関係で、そして、側面４１０６に規定される各スロット４１２４と対向して、共通直線の関係で単一ブロック４１０５の対向する側面４１０８の長さに沿って延びる。各スロット４１２６は、単一ブロック４１０５の縦軸に概略垂直の関係で、側面４１０８及び対向する水平面４１０２及び４１０４を通して、そして、単一ブロック４１０５の本体及び誘電体材料を部分的に通して切れ込んでいる。
【０２２９】
単一ブロック４１０５はさらに、以下に詳説するように、追加の４つのスロット４１２９，４１３１，４１３３及び４１３５を規定し、有する。
【０２３０】
概略楕円形状の細長いスロット４１２９は、単一ブロック４１０１の中央に位置して形成され、単一ブロック４１０５の各表面４１０６及び４１０８に規定される第一対の周辺スロット４１２４及び４１２６から離間して、これと共通直線的に並んだ関係で、かつ、単一ブロック４１０５の縦軸Ｌ１に概略垂直で交差する関係で、第一対のスロット４１２４及び４１２６の間に延びる。
【０２３１】
同様に細長い概略楕円形状であるスロット４１３１は、スロット４１２９から離間してこれと概略平行の関係で単一ブロック４１０１の中央に位置して形成され、さらに、単一ブロック４１０５の各表面４１０６及び４１０８に規定される第二対の周辺スロット４１２４及び４１２６から離間して、これと共通直線的に並んだ関係で、かつ、単一ブロック４１０５の縦軸ｌ１に概略垂直で交差する関係で、第二対の周辺スロット４１２４及び４１２６の間に延びる。
【０２３２】
スロット４１３３は、単一ブロック４１０１の中央に位置して形成され、単一ブロック４１０５の縦軸Ｌ１に概略共通直線の関係で、単一ブロック４１０１の中央に概略「Ｉ」形状の中央に位置するスロット４１４１を形成するように、スロット４１２９及び４１３１の間で延びてこれらを相互接続する。
【０２３３】
他のスロット４１３５は、単一ブロック４１０１の端面４１１０から延びて、単一ブロック４１０１に規定されたステップ４１３６を通して切れ込み、スロット４１３１から離間した点で単一ブロック４１０１の本体で終端する。図示の実施形態では、スロット４１３５は、スロット３１３３及び単一ブロック４１０５の縦軸Ｌ１と概略共通直線の関係で、スロット４１２９及び４１３１と概略垂直の関係で配置される。
【０２３４】
このように、本実施形態に従えば、各スロット４１２４，４１２６，４１２９，４１３１，４１３３及び４１３５は、相互に対して、複数の共振器４１１４，４１１６，４１１８，４１２０，４１２１及び４１２２、及び、複数の共振器４１１４，４１１６，４１１８，４１２０，４１２１及び４１２２の間でこれらを相互接続する複数のＲＦ信号ブリッジ４１２８，４１３０，４１３２及び４１３４を生成して規定するような関係で、単一ブロック４１０５に位置して配置される。
【０２３５】
図示の実施形態では、ブリッジ４１２８は、単一ブロック４１０５の表面４１０６のスロット４１２４とスロット４１３１の間に規定され、共振器４１１４の誘電体材料を共振器４１１６の誘電体材料にブリッジし、相互接続し、これらの間に延びる。誘電体材料のブリッジ４１３０は、単一ブロック４１０５の表面４１０６のスロット４１２４とスロット４１２９の間に規定され、共振器４１１６の誘電体材料を共振器４１１８の誘電体材料に延長させ、ブリッジし、相互接続する。ブリッジ４１３２は、単一ブロック４１０５の表面４１０８のスロット４１２６とスロット４１２９の間に規定され、共振器４１２０の誘電体材料を共振器４１２１の誘電体材料に延長させ、ブリッジし、相互接続する。誘電体材料のブリッジ４１３４は、単一ブロック４１０５の表面４１０８のスロット４１２６とスロット４１３１の間に規定され、共振器４１２１の誘電体材料を共振器１２２の誘電体材料に延長させ、ブリッジし、相互接続する。
【０２３６】
このように、図９，１０に示す関係では、各共振器４１１４及び４１２２は、横並びの関係で配置され、スロット４１３５及び４１３１の間に位置する誘電体材料の他のＲＦ信号ブリッジ４１４１を除いて、内部スロット４１３５により相互に離間され；各共振器３１１６及び３１２１は、横並びの関係で配置され、スロット４１３３により相互に離間され；各共振器３１１８及び３１２０は、当接した横並びの関係で配置されている。
【０２３７】
図示の実施形態では、各ＲＦ信号ブリッジ４１２８，４１３０，４１３２，４１３４及び４１４１の幅は、各スロット４１２４，４１２６，４１２９及び４１３１の間の距離に依存する。
【０２３８】
どの図にも示されていないが、各スリット及びスロットの厚み又は幅、及び、上記スリット及びスロットが単一ブロック４１０５の本体に延びる深さ又は距離は、各ＲＦ信号ブリッジの幅及び長さを変更することを可能にし、それにより、導波路フィルター４１００の電気結合及び帯域幅の制御を可能にし、それにより、導波路フィルター４１００の性能特性の制御を可能にするための特定の用途に応じて変更され得ることが理解される。
【０２３９】
単一ブロック４１０５は、さらに、図示の実施形態では、縦表面１０４の概略Ｌ形状の凹んだ又は溝付けされた又は肩付けされた又は切れ込んだ領域又はセクションと、側面１０６及び１０８と、単一ブロック１０１の対向する側端面１１０及び１１２を有する端部ステップ又はノッチ４１３６、より詳細には、誘電体セラミックス材料が除去された各端部共振器４１１４及び４１２２を有する。
【０２４０】
換言すれば、各ステップ４１３６は、端部共振器４１１４及び４１２２及び単一ブロック４１０５の端部のセクション又は領域に、これらにより規定され、単一ブロック４１０５の残りの部分の高さよりも小さい高さを有する。
【０２４１】
さらに換言すれば、ステップ４１３６は、単一ブロック４１０５に規定された各端部共振器４１１４及び４１２２の概略Ｌ形状の凹んだ又は切れ込んだ部分を有し、当該部分は、単一ブロック４１０５の表面４０１４に位置し、又は、これから内側に向けられて、これ離間して、これと平行であり、単一ブロック４１０５の縦軸Ｌ１と概略垂直で交差する関係で単一ブロック４１０５の対向する側外面４１０６及び４１０８の間に延びる第一の概略水平の面４１４０と、単一ブロック４１０５の各側端面４１１０に位置して、これから内側に向けられ、これから離間して、これと平行であり、単一ブロック４１０５の縦軸Ｌ１に概略垂直で交差する関係で単一ブロック４１０５の対向する側外面４１０６及び４１０８の間に延びる第二の概略垂直の面又は壁４１４２を含む。
【０２４２】
図示の実施形態では、スロット４１３５は、単一ブロック４１０５の縦軸Ｌ１の上下それぞれに位置する上下それぞれの分離したステップ部分を有する。
【０２４３】
単一ブロック４１０５はさらに、単一ブロック４１０５の本体、より詳細には、ステップ４１３６、さらにより詳細には、単一ブロック４１０５に規定される各端部共振器４１１４及び４１２２を通って、ステップ４１３６の表面４１４０と単一ブロック４１０１の表面４１０２の間でこれらに垂直の関係で延びる各スルーホール４１４６（図１０）の形態の一対の電気ＲＦ信号入／出力電極を有する。
【０２４４】
さらに詳細には、各ＲＦ信号入／出力スルーホール４１４６は、単一ブロック４１０５の横側端面４１１０から離間して、概略これに平行であり、ステップ表面４１４０及び単一ブロック表面４１０４のそれぞれに位置し、終端する各概略円形開口を規定する。
【０２４５】
ＲＦ信号入／出力スルーホール４１４６は、側端面４１１０とステップ壁又は表面４１４２の間で、これらから離間してこれらと概略平行の関係で、単一ブロック４１０５及びステップ４１３７の内部及び誘電体材料に位置して配置され、これらを通って延びる。スルーホール４１４６の１つは、縦軸Ｌ１及びそこに規定されたスリット４１３５の上に位置するステップ４１３７の部分に位置し、一方、他方のスルーホール４１４６は、縦軸Ｌ１及びそこに規定されたスリット４１３５の下に位置するステップ４１３７の部分に位置する。
【０２４６】
単一ブロック４１０５は、さらに、一対の追加の離間したスルーホール４１３７及び４１３９を有し、スルーホール４１３７及び４１３９は、スロット４１２９及び端面４１１２の間に位置する単一ブロック４１０５の領域の単一ブロック４１０５の本体及び誘電体材料に位置して規定され、これを通って、スロット４１３３及び単一ブロック４１０５の縦軸Ｌ１に概略共通直線で、ブロック表面４１０２及び４１０４に垂直の関係で延びる。スルーホール４１３７及び４１３９は、単一ブロック４１０５の上下外面４１０２及び４１０４の各開口を規定し、共振器４１１８及び４１２０の間に位置する。
【０２４７】
単一ブロック４１０５のすべての外表面４１０２，４１０４，４１０６，４１０８，４１１０及び４１１２、スロット４１２４，４１２６，４１２９，４１３１，４１３３及び４１３５の内部表面及びＲＦ信号入／出力スルーホール４１４６の内部表面は、以下に説明する領域を例外として、例えば、銀などの適切な導電材料により覆われている。
【０２４８】
単一ブロック４１０５はさらに、それぞれが、概略長方形のコネクタベースプレート又はフランジ４４０４、フランジ４４０４の上面から概略垂直に一体に上方に及び外方に延びる概略円筒形のコネクタハウジング又はシェル４４０６及びシェル４４０６の内部及びフランジ４４０４の本体の両方を通って延びる細長いコネクタピン４４０３を含む、ＳＭＡＲＦ信号入／出力同軸コネクタ４４００及び４４０１を有する。
【０２４９】
各コネクタ４４００及び４４０１は、単一ブロック４１０５の側面４１０６及び４１０８及び縦軸Ｌ１に概略垂直の方向及び関係で単一ブロック４１０５のステップ４１３６に対して据え付けられており、各コネクタ４４００及び４４０１のフランジ４４０４はステップ４１３６の表面４１４０に対して据え付けられ、シェル４４０６はステップ４１３６に規定された各スルーホール４１４６と同軸に並べられている。
【０２５０】
コネクタフランジ４４０４は、単一ブロック４１０５のステップ４１３６の表面４１４０に直接半田付けされ、コネクタピン４４０３は、各スルーホール１４６にリフロー半田付けされている。
【０２５１】
図示の実施形態では、コネクタ４４００は、縦軸Ｌ１及びステップ４１３７に規定されたスロット４１３５の上に位置するステップ４１３７の部分に載置され、コネクタ４４０１は、縦軸Ｌ１及びステップ４１３７に規定されたスロット４１３５の下に位置するステップ４１３７の部分に載置されている。
【０２５２】
導波路フィルター４１００はさらに、特定のインピーダンス及び位相を有し、単一ブロック４１０５の各共振器４１１６及び４１２１の間に延びてこれらを相互接続して電気的に結合する、外部−クロス結合／間接結合−バイパス又は代替ＲＦ信号伝送電極又はブリッジ部材又はライン４５００を有する。
【０２５３】
外部クロス結合伝送ライン４５００は、単一ブロック４１０５の上面４１０２上のスロット４１３３に載置されてスロット４１３３をブリッジする概略長方形状の印刷回路基板４５０２を含み、当該印刷回路基板４５０２により規定される。外部クロス結合伝送電極４５００はさらに、単一ブロック４１０５の各共振器４１１６及び４１２１をブリッジし、これらの上に延びる印刷回路基板４５０２の上面上に規定されて形成された細長い導電材料のストリップ４５０４を有する。
【０２５４】
さらに、図９には示されていないが、印刷回路基板４５０２が、印刷回路基板４５０２の本体を通って延び、共振器４１１６及び４１２１を電気的に結合させるように、各共振器４１１６及び４１２１の上面４１０２から外方に延びて導電材料の細長いストリップ２５０４の対向端部に接触する各導電ポスト４５１０及び４５１２を受容するように適合された各内部スルーホールを含み、規定することが理解される。
【０２５５】
図示の実施形態では、外部伝送ライン４５００は、スロット４１２９及び４１３１の間に位置してこれらから離間し、縦軸Ｌ１と交差する。
【０２５６】
導波路フィルター４１００は、さらに、スルーホール４１３８及び４１３９により規定され、各共振器４１１８及び４１２０に延びて、これらの間に位置し、これらを相互接続して結合し、共振器４１１８から共振器４１２０へのＲＦ信号の伝送のための内部又は内側経路を規定する内部又は内側直接誘導結合ＲＦ信号伝送手段４６００を有する。
【０２５７】
本発明に従えば、導波路フィルター１１００と同じ性能と動作利点及び特性を提供する導波路フィルター４１００は、コネクタ４４００がＲＦ信号入力コネクタを規定する実施形態においては、コネクタ４４００；縦軸Ｌ１及びスロット４１３５の上に位置するステップ４１３７の部分に位置するＲＦ信号入／出力スルーホール４１４６；共振器４１１４；誘電体材料のブリッジ４１２８を介し、及び、これを通って共振器４１１６；誘電体材料のブリッジ４１３０を介し、及び、これを通って共振器４１１８；各内部スルーホール４１３８及び４１３９により共振器４１１８及び４１２０の間のブロック４１０５の内部に規定された内部ＲＦ信号伝送手段４６００を介して共振器４１２０；誘電体材料のブリッジ４１３２を介し、及び、これを通って共振器４１２１；誘電体材料のブリッジ４１３４を介し、及び、これを通って共振器４１２２；縦軸Ｌ１及びスロット４１３５の下に位置するステップ４１３７の部分；縦軸Ｌ１の下に位置するステップ４１３７の部分に位置するＲＦ入／出力スルーホール４１４６；及び、ＲＦ信号出力コネクタ４４０１を連続して通る図９の矢印ｄで一般的に示されるＲＦ信号のための第一の概略Ｕ形状の磁気又は誘導直接結合ＲＦ信号伝送経路を規定する。
【０２５８】
本実施形態によれば、導波路フィルター４１００は、図９の矢印ｃで概略示され、かつ、共振器４１１６を通って伝送される直接ＲＦ信号の小さい部分が、スロット４１３３をブリッジし、各共振器４１１６及び４１２１を電気的に相互接続する導電材料の外部ストリップ４５０４を介して直接伝送されることを可能にする外部ＲＦ信号伝送ライン４５００により規定され、生成されるＲＦ信号のための第一の代替又は間接又はクロス結合外部ＲＦ信号伝送経路も規定する。
【０２５９】
本実施形態によれば、スロット４１３５は、共振器４１１４から共振器４１２２にＲＦ信号ブリッジ４１４１を介して及びこれを通って伝送される小さい部分、及び、図９の矢印ｃで概略示され、図３，４に示す導波路フィルター１１００の内部窓１７２２により生成される第二の代替又は間接又はクロス結合経路と類似のＲＦ信号のための第二の代替又は間接又はクロス結合ＲＦ信号伝送経路を規定する伝送経路を除いて、共振器４１１４から共振器４１２２への直接のＲＦ信号のクロス結合又は伝送を阻止する。
【０２６０】
スロット４１３３は、上記の外部クロス結合電極４５００を通るものは勿論除くが、ＲＦ信号の共振器４１１６から共振器４１２１への直接のクロス結合又は伝送を阻止する。
【０２６１】
本発明によれば、上記した単一ブロック４１０１のＲＦ信号のクロス結合は、導波路フィルター１１００について上記したのと同じ第一及び第二の対の伝送ゼロを好適に生成し、したがって、参照によりここに組み込まれ、図９に示す導波路フィルター４１００の性能／周波数応答の表示でもある図１２に示される。
【０２６２】
実施形態に特に参照しつつ本発明を説明したが、当業者は、本発明の精神及び範囲から外れることなく、形態及び詳細における変更が可能であることを認識する。説明した実施形態は、すべての面で説明的であり、限定的なものでないと考えられるべきである。
【図１】
2014521278.tif 000003
【図２】
2014521278.tif 000004
【図３】
2014521278.tif 000005
【図４】
2014521278.tif 000006
【図５】
2014521278.tif 000007
【図６】
2014521278.tif 000008
【図７】
2014521278.tif 000009
【図８】
2014521278.tif 000010
【図９】
2014521278.tif 000011
【図１０】
2014521278.tif 000012
【図１１】
2014521278.tif 000013
【図１２】
2014521278.tif 000014
【図１３】
2014521278.tif 000015
【国際調査報告】
2014521278.tif 000016
2014521278.tif 000017
2014521278.tif 000018